(57)【要約】      （修正有）【課題】より自然視に近い状態での自覚式測定を可能とする自覚式検眼装置および自覚式検眼プログラム。【解決手段】視標光束を被検眼に向けて投光して視標を被検眼に投光する投光光学系３０と、投光光学系の光路中に配置され、視標光束の光学特性を変化する矯正光学系６０と、矯正光学系によって矯正された視標光束を前記被検眼に導光する光学部材と、を有し、被検眼の光学特性を自覚的に測定する自覚式検眼装置であって、視標の呈示距離を光学的に変更する距離変更手段と、遠用検査時において被検眼に向けて視標光束を水平方向から投光するための第１光路と、近用検査時において水平方向に対して下方に傾斜した方向から被検眼に向けて視標光束を投光する第２光路と、を切換える光路切換手段と、右眼用矯正光学系を含む右眼用光路及び左眼用矯正光学系を含む左眼用光路とから出射される視標光束の輻輳角度を変更する輻輳角度変更手段と、を備える。【選択図】図２
2018171140.tif 000002
【特許請求の範囲】
【請求項１】
視標光束を被検眼に向けて投光して視標を被検眼に投光する投光光学系と、
左右一対に設けられた右眼用矯正光学系と左眼用矯正光学系を有し、前記投光光学系の光路中に配置され、視標光束の光学特性を変化する矯正光学系と、
前記矯正光学系によって矯正された前記視標光束を前記被検眼に導光する光学部材と、
を有し、被検眼の光学特性を自覚的に測定する自覚式検眼装置であって、
前記視標の呈示距離を光学的に変更する距離変更手段と、
遠用検査時において前記被検眼に向けて前記視標光束を水平方向から投光するための第１光路と、近用検査時において前記水平方向に対して下方に傾斜した方向から前記被検眼に向けて前記視標光束を投光する第２光路と、を切換える光路切換手段と、
前記右眼用矯正光学系を含む右眼用光路及び前記左眼用矯正光学系を含む左眼用光路とから出射される前記視標光束の輻輳角度を変更する輻輳角度変更手段と、
を備えることを特徴とする自覚式検眼装置。
【請求項２】
請求項１の自覚式検眼装置において、
前記輻輳角度変更手段は、前記距離変更手段による前記呈示距離の変更と、前記光路切換手段による前記第１光路と前記第２光路との光路の切換と、の少なくともいずれかに基づいて、前記輻輳角度を変更することを特徴とする自覚式検眼装置。
【請求項３】
請求項１又は２の自覚式検眼装置において、
前記光路切換手段は、前記第１光路と前記第２光路を切換えるために、前記矯正光学系と被検者との間に光学部材を挿脱することを特徴とする自覚式検眼装置。
【請求項４】
請求項３の自覚式検眼装置において、
前記投光光学系は光源を有し、
前記光路切換手段による前記第１光路と前記第２光路との光路の切換に基づいて、前記光源の光量を変更する光量変更手段を備えることを特徴とする自覚式検眼装置。
【請求項５】
請求項１〜４のいずれかの自覚式検眼装置において、
前記被検眼とアライメント基準位置との位置ずれに基づいて、前記被検眼と前記視標光束とのアライメント状態を検出するアライメント検出手段を備え、
前記アライメント検出手段は、前記距離変更手段による前記呈示距離の変更と、前記光路切換手段による前記第１光路と前記第２光路との光路の切換と、前記輻輳角度変更手段による前記輻輳角度の変更と、の少なくともいずれかに基づいて、前記アライメント基準位置を変更することを特徴とする自覚式検眼装置。
【請求項６】
請求項１〜５のいずれかの自覚式検眼装置において、
左右の被検眼の前眼部画像を撮影する前眼部撮像光学系を備え、
前記前眼部撮像光学系の光軸と前記投光光学系の光軸とが同軸であることを特徴とする自覚式検眼装置。
【請求項７】
請求項６の自覚式検眼装置において、
前記前眼部撮像光学系によって撮影された前記前眼部画像を解析することによって、瞳孔間距離を取得する解析手段を備えることを特徴とする自覚式検眼装置。
【請求項８】
請求項１〜７のいずれかの自覚式検眼装置において、
被検眼の眼底に測定光を出射し、その反射光を受光する測定光学系を有し、前記被検眼の光学特性を他覚的に測定する他覚式測定手段を備え、
前記測定光学系の光軸は、前記光学部材から前記被検眼に向けて前記視標光束が導光されるまでの前記投光光学系の光軸と同軸であって、前記第１光路と前記第２光路とのそれぞれで記被検眼の光学特性を他覚的に測定可能とすることを特徴とする自覚式検眼装置。
【請求項９】
視標光束を被検眼に向けて投光して視標を被検眼に投光する投光光学系と、左右一対に設けられた右眼用矯正光学系と左眼用矯正光学系を有し、前記投光光学系の光路中に配置され、視標光束の光学特性を変化する矯正光学系と、前記矯正光学系によって矯正された前記視標光束を前記被検眼に導光する光学部材と、を有し、被検眼の光学特性を自覚的に測定する自覚式検眼装置において用いられる自覚式検眼プログラムであって、前記自覚式検眼装置のプロセッサによって実行されることで、
前記視標の呈示距離を光学的に変更する距離変更ステップと、
遠用検査時において前記被検眼に向けて前記視標光束を水平方向から投光するための第１光路と、近用検査時において前記水平方向に対して下方に傾斜した方向から前記被検眼に向けて前記視標光束を投光する第２光路と、を切換える光路切換ステップと、
前記右眼用矯正光学系を含む右眼用光路及び前記左眼用矯正光学系を含む左眼用光路とから出射される前記視標光束の輻輳角度を変更する輻輳角度変更ステップと、
を前記自覚式検眼装置に実行させることを特徴とする自覚式検眼プログラム。
【発明の詳細な説明】
【技術分野】
【０００１】
本開示は、被検眼の光学特性を自覚的に測定する自覚式検眼装置及び自覚式検眼プログラムに関する。
【背景技術】
【０００２】
従来、自覚式検眼装置としては、例えば、屈折度の矯正が可能な矯正光学系を被検者の眼前に個別に配置し、矯正光学系を介して検査視標を被検眼の眼底へ投光するものが知られている。検者は、被検者の応答を受けその視標が被検者に適正に見えるまで矯正光学系の調節を行って矯正値を求め、この矯正値に基づいて被検眼の屈折力を測定する。また、例えば、自覚式検眼装置としては、矯正光学系を介した検査視標が像を被検者の眼前に形成し、矯正光学系を眼前に配置することなく、被検眼の屈折力を測定するものが知られている（特許文献１参照）。
【０００３】
上記のような自覚式検眼装置において、遠用検査時においては水平方向から視標を投影し、近用検査時においては水平方向から斜め下方向から視標を投影して、自覚式測定を行うものが知られている（特許文献２参照）。
【先行技術文献】
【特許文献】
【０００４】
【特許文献１】米国特許第３８７４７７４号公報
【特許文献２】特開２０１４−１４７４１６号公報
【発明の概要】
【発明が解決しようとする課題】
【０００５】
しかしながら、上記のような自覚式検眼装置において、被検者が観察をする被検物までの距離に応じて被検眼の輻輳角度が変化する。例えば、近用検査時（近用の呈示距離に視標を呈示して検査を行う場合）では、遠用検査時（遠用の呈示距離に視標を呈示して検査を行う場合）に対して、寄り目で視標を観察することになり、被検眼の輻輳角度が変化する。このため、単に、視標を呈示する方向を変更しただけでは、必ずしも自然視に近い状態で自覚式測定が実施できているとは言えないことがある。
【０００６】
本開示は、上記問題点を鑑み、より自然視に近い状態での自覚式測定を可能とする自覚式検眼装置及び自覚式検眼プログラムを提供することを技術課題とする。
【課題を解決するための手段】
【０００７】
上記課題を解決するために、本発明は以下のような構成を備えることを特徴とする。
【０００８】
（１）  本開示の第１態様に係る自覚式検眼装置は、視標光束を被検眼に向けて投光して視標を被検眼に投光する投光光学系と、左右一対に設けられた右眼用矯正光学系と左眼用矯正光学系を有し、前記投光光学系の光路中に配置され、視標光束の光学特性を変化する矯正光学系と、前記矯正光学系によって矯正された前記視標光束を前記被検眼に導光する光学部材と、を有し、被検眼の光学特性を自覚的に測定する自覚式検眼装置であって、前記視標の呈示距離を光学的に変更する距離変更手段と、遠用検査時において前記被検眼に向けて前記視標光束を水平方向から投光するための第１光路と、近用検査時において前記水平方向に対して下方に傾斜した方向から前記被検眼に向けて前記視標光束を投光する第２光路と、を切換える光路切換手段と、前記右眼用矯正光学系を含む右眼用光路及び前記左眼用矯正光学系を含む左眼用光路とから出射される前記視標光束の輻輳角度を変更する輻輳角度変更手段と、を備えることを特徴とする。
（２）  本開示の第２態様に係る自覚式検眼プログラムは、視標光束を被検眼に向けて投光して視標を被検眼に投光する投光光学系と、左右一対に設けられた右眼用矯正光学系と左眼用矯正光学系を有し、前記投光光学系の光路中に配置され、視標光束の光学特性を変化する矯正光学系と、前記矯正光学系によって矯正された前記視標光束を前記被検眼に導光する光学部材と、を有し、被検眼の光学特性を自覚的に測定する自覚式検眼装置において用いられる自覚式検眼プログラムであって、前記自覚式検眼装置のプロセッサによって実行されることで、前記視標の呈示距離を光学的に変更する距離変更ステップと、遠用検査時において前記被検眼に向けて前記視標光束を水平方向から投光するための第１光路と、近用検査時において前記水平方向に対して下方に傾斜した方向から前記被検眼に向けて前記視標光束を投光する第２光路と、を切換える光路切換ステップと、前記右眼用矯正光学系を含む右眼用光路及び前記左眼用矯正光学系を含む左眼用光路とから出射される前記視標光束の輻輳角度を変更する輻輳角度変更ステップと、を前記自覚式検眼装置に実行させることを特徴とする自覚式検眼プログラム。
【図面の簡単な説明】
【０００９】
【図１】自覚式検眼装置の外観図である。
【図２】測定手段の構成について説明する図である。
【図３】自覚式検眼装置の内部を正面方向から見た概略構成図である。
【図４】自覚式検眼装置の内部を側面方向から見た概略構成図である。
【図５】自覚式検眼装置の内部を上面方向から見た概略構成図である。
【図６】遠用検査時において、遠用検査の呈示距離から視標を呈示する場合の一例を示す図である。
【図７】近用検査時において、近用検査の呈示距離から視標を呈示する場合の一例を示す図である。
【図８】撮像素子によって撮像された前眼部画像が表示された前眼部観察画面を示す図である。
【図９】アライメント制御について説明する図である。
【発明を実施するための形態】
【００１０】
以下、典型的な実施形態の１つについて、図面を参照して説明する。図１〜図９は本実施形態に係る自覚式検眼装置について説明するための図である。なお、以下の説明においては、自覚式検眼装置を例に挙げて説明する。なお、以下の＜＞にて分類された項目は、独立又は関連して利用されうる。
【００１１】
なお、本開示においては、本実施形態に記載した装置に限定されない。例えば、下記実施形態の機能を行う端末制御ソフトウェア（プログラム）をネットワーク又は各種記憶媒体等を介して、システムあるいは装置に供給する。そして、システムあるいは装置の制御装置（例えば、ＣＰＵ等）がプログラムを読み出し、実行することも可能である。
【００１２】
なお、以下の説明においては、自覚式検眼装置の奥行き方向（被検者の測定の際の被検者の前後方向）をＺ方向、奥行き方向に垂直（被検者の測定の際の被検者の左右方向）な平面上の水平方向をＸ方向、鉛直方向（被検者の測定の際の被検者の上下方向）をＹ方向として説明する。なお、以下符号に付されるＲ、Ｌはそれぞれ右眼用、左眼用を示すものとする。
【００１３】
＜概要＞
例えば、本実施形態における自覚式検眼装置（例えば、自覚式検眼装置１）は、被検眼の光学特性を自覚的に測定する。例えば、自覚式検眼装置は、投光光学系（例えば、投光光学系３０）を備えていてもよい。例えば、投光光学系は、視標光束を被検眼に向けて投光して視標を被検眼に投光する。また、例えば、自覚式検眼装置は、矯正光学系（例えば、矯正光学系６０、自覚式測定光学系２５）を備えていてもよい。例えば、矯正光学系は、投光光学系の光路中に配置され、視標光束の光学特性を変化する。また、例えば、自覚式検眼装置は、矯正光学系によって矯正された視標光束を被検眼に導光する光学部材（例えば、凹面ミラー８５）を備えていてもよい。
【００１４】
例えば、自覚的に測定される被検眼の光学特性としては、眼屈折力（例えば、球面度数、乱視度数、乱視軸角度等）、コントラスト感度、両眼視機能（例えば、斜位量、開散力、輻輳力等）等が挙げられる。
【００１５】
例えば、自覚式検眼装置は、距離変更手段（例えば、制御部７０）を備えていてもよい。例えば、距離変更手段は、視標の呈示距離を光学的に変更するようにしてもよい。例えば、自覚式検眼装置は、光路切換手段（例えば、制御部７０）を備えていてもよい。例えば、光路切換手段は、遠用検査時において被検眼に向けて視標光束を水平方向から投光するための第１光路と、近用検査時において水平方向に対して下方に傾斜した方向から被検眼に向けて前記視標光束を投光する第２光路と、を切換えるようにしてもよい。例えば、自覚式検眼装置は、輻輳角度変更手段（例えば、制御部７０）を備えていてもよい。例えば、輻輳角度変更手段は、右眼用矯正光学系を含む右眼用光路及び左眼用矯正光学系を含む左眼用光路とから出射される視標光束の輻輳角度を変更するようにしてもよい。このように、例えば、遠用検査時に被検者に水平視させるとともに遠用検査時に応じた輻輳角度への変更を行うことができ、近用検査時に被検者に下方視させるとともに近用検査時に応じた輻輳角度への変更を行うことができるため、より自然視に近い状態での自覚式測定を行うことができ、より精度の良い測定結果を得ることができる。
【００１６】
＜投光光学系＞
例えば、投光光学系は、視標光束を照射する光源を有する。また、例えば、投光光学系は、視標光束を投影する光源から投影された視標光束を被検眼に向けて導光する少なくとも１つ以上の光学部材等を有してもよい。
【００１７】
例えば、視標光束を投影する光源としては、ディスプレイ（例えば、ディスプレイ３１）を用いる構成であってもよい。例えば、ディスプレイとしては、ＬＣＤ（Liquid Crystal Display）や有機ＥＬ（Electro Luminescence）等が用いられる。例えば、ディスプレイには、ランドルト環視標等の検査視標等が表示される。
【００１８】
例えば、視標光束を投影する光源としては、光源とＤＭＤ（Digital Micromirror Device）を用いてもよい。一般的にＤＭＤは反射率が高く、明るい。そのため、偏光を用いる液晶ディスプレイを用いた場合と比べ、視標光束の光量を維持できる。
【００１９】
例えば、視標光束を投影する光源としては、視標呈示用可視光源と、視標板と、を有する構成であってもよい。この場合、例えば、視標板は、回転可能なディスク板であり、複数の視標を持つ。複数の視標は、例えば、自覚測定時に使用される視力検査用視標、等を含んでいる。例えば、視力検査用視標は、視力値毎の視標（視力値０．１、０．３、・・・、１．５）が用意されている。例えば、視標板はモータ等によって回転され、視標は、被検眼に視標光束が導光される光路上で切換え配置される。もちろん、視標光束を投影する光源としては、上記構成以外の光源を用いてもよい。
【００２０】
例えば、本実施形態において、投光光学系は、左右一対に設けられた右眼用投光光学系と左眼用投光光学系を有するようにしてもよい。例えば、右眼用投光光学系と左眼用投光光学系は、右眼用投光光学系を構成する部材と左眼用投光光学系を構成する部材とが、同一の部材によって構成されていてもよい。また、例えば、右眼用投光光学系と左眼用投光光学系は、右眼用投光光学系を構成する部材と左眼用投光光学系を構成する部材とで少なくとも一部の部材が異なる部材によって構成されていてもよい。例えば、右眼用投光光学系と左眼用投光光学系は、右眼用投光光学系を構成する部材と左眼用投光光学系を構成する部材とで少なくとも一部の部材が兼用されている構成であってもよい。また、例えば、右眼用投光光学系と左眼用投光光学系は、右眼用投光光学系を構成する部材と左眼用投光光学系を構成する部材とが、別途それぞれ設けられている構成であってもよい。
【００２１】
＜矯正光学系＞
例えば、本実施形態において、矯正光学系は、左右一対に設けられた右眼用矯正光学系と左眼用矯正光学系を有する。例えば、右眼用矯正光学系と左眼用矯正光学系は、右眼用矯正光学系を構成する部材と左眼用矯正光学系を構成する部材とが、同一の部材によって構成されていてもよい。また、例えば、右眼用矯正光学系と左眼用矯正光学系は、右眼用矯正光学系を構成する部材と左眼用矯正光学系を構成する部材とで少なくとも一部の部材が異なる部材によって構成されていてもよい。例えば、右眼用矯正光学系と左眼用矯正光学系は、右眼用矯正光学系を構成する部材と左眼用矯正光学系を構成する部材とで少なくとも一部の部材が兼用されている構成であってもよい。また、例えば、右眼用矯正光学系と左眼用矯正光学系は、右眼用矯正光学系を構成する部材と左眼用矯正光学系を構成する部材とが、別途それぞれ設けられている構成であってもよい。
【００２２】
例えば、矯正光学系は、視標光束の光学特性（例えば、球面度数、円柱度数、円柱軸、偏光特性、及び収差量、等の少なくともいずれか）を変更する構成であればよい。例えば、視標光束の光学特性を変更する構成として、光学素子を制御する構成であってもよい。例えば、光学素子としては、球面レンズ、円柱レンズ、クロスシリンダレンズ、ロータリープリズム、波面変調素子等の少なくともいずれかを用いる構成であってもよい。もちろん、例えば、光学素子としては、上記記載の光学素子とは異なる光学素子を用いるようにしてもよい。
【００２３】
例えば、矯正光学系は、被検者眼に対する視標の呈示位置（呈示距離）が光学的に変えられることにより、被検眼の球面度数が矯正される構成であってもよい。この場合、例えば、視標の呈示位置（呈示距離）が光学的に変更する構成としては、光源（例えば、ディスプレイ）を光軸方向に移動させる構成であってもよい。また、この場合、例えば、光路中に配置された光学素子（例えば、球面レンズ）を光軸方向に移動させる構成であってもよい。もちろん、矯正光学系は、光学素子を制御する構成と光路中に配置された光学素子を光軸方向に移動させる構成と組み合わせた構成であってもよい。
【００２４】
例えば、矯正光学系としては、投光光学系から視標光束を被検眼に向けて導光するための光学部材（矯正光学系によって矯正された視標光束を被検眼に導光する光学部材）と、投光光学系における視標光束を投影する光源と、間に光学素子を配置して、光学素子を制御することによって、視標光束の光学特性を変更する構成であってもよい。すなわち、矯正光学系としては、ファントムレンズ屈折計（ファントム矯正光学系）の構成であってもよい。この場合、例えば、矯正光学系によって矯正された視標光束が光学部材を介して被検眼に導光される。
【００２５】
＜光学部材＞
例えば、矯正光学系によって矯正された視標光束を被検眼に導光する光学部材は、視標光束の像を光学的に所定の検査距離となるように被検眼に導光する光学部材であってもよい。例えば、光学部材は、凹面ミラーを用いてもよい。例えば、凹面ミラーを用いることによって、自覚式検査手段において光学的に所定の検査距離に視標を呈示することが可能となり、所定の検査距離に視標を呈示する際に、実際の距離となるように部材等を配置する必要がなくなる。これによって、余分な部材、スペースが必要なくなり、装置を小型化することができる。もちろん、例えば、光学部材は、凹面ミラーに限定されない。例えば、光学部材は、視標光束の像を光学的に所定の検査距離となるように被検眼に導光する構成であればよい。この場合、例えば、光学部材として、レンズ等を用いるようにしてもよい。
【００２６】
＜呈示距離変更手段＞
例えば、呈示距離変更手段は、投光光学系における光学部材を移動させることによって、視標の呈示距離を光学的に変更するようにしてもよい。例えば、投光光学系における光学部材としては、光源、ミラー、レンズ、等の少なくともいずれかであってもよい。また、例えば、呈示距離変更手段は、前記投光光学系の光路中に光学部材を挿脱することによって、視標の呈示距離を光学的に変更するようにしてもよい。
【００２７】
例えば、呈示距離変更手段は、遠用の呈示距離（例えば、５ｍ）に呈示距離を変更するようにしてもよい。また、例えば、呈示距離変更手段は、近用の呈示距離（例えば、４０ｃｍ）に呈示距離を変更するようにしてもよい。もちろん、呈示距離は上記の呈示距離に限定されず、任意の呈示距離に変更できるようにしてもよい。
【００２８】
＜光路切換手段＞
例えば、光路切換手段は、光路切換手段は、第１光路と第２光路を切換えるために、矯正光学系と被検者との間に光学部材を挿脱するようにしてもよい。この場合、例えば、光学部材を挿脱するための駆動手段（例えば、モータ等）を備えていてもよい。例えば、駆動手段が駆動されることによって、光学部材が挿脱されるようにしてもよい。なお、例えば、挿脱される光学部材は、少なくとも１つ以上の光学部材であってもよい。例えば、挿脱される光学部材は、ミラー（例えば、ハーフミラー、全反射ミラー等）、レンズ、プリズム、等のいずれかであってもよい。もちろん、挿脱される光学部材は、上記光学部材に限定されず、上記光学部材と異なる光学部材が用いられるようにしてもよい。なお、挿脱される光学部材は、異なる特性の部材が組み合わせられて用いられてもよい。例えば、光学部材を挿脱することによって、光路を切り換えることによって、容易に光路を切り換えることができる。また、例えば、光学部材を挿脱することによって、光路を切り換えることによって、水平方向からより大きな角度での下方視をさせることができる。
【００２９】
なお、光学部材を挿脱した場合に、被検眼に視標光束が反転して導光されることがある。この場合、例えば、光源からの視標光束を反転させる構成を設ければよい。例えば、視標光束を反転させる構成として、光源がディスプレイの場合には、ディスプレイの表示を反転させるようにしてもよい。また、例えば、視標光束を反転させる構成として、光源がディスプレイの場合には、ディスプレイを反転させるようにしてもよい。また、例えば、視標光束を反転させる構成として、光路中に光学部材を挿脱することによって、視標光束を反転させるようにしてもよい。
【００３０】
また、例えば、光路切換手段は、第１光路と第２光路を切換えるために、光学部材を移動するようにしてもよい。この場合、例えば、投光光学系は、投光光学系の光路において移動可能な移動光学部材を備える構成であってもよい。また、例えば、移動光学部材を投光光学系の光路において移動させる駆動手段と、を備える構成であってもよい。例えば、移動光学部材としては、レンズ、プリズム、ミラー等を用いてもよい。また、例えば、移動光学部材としては、投光光学系のいずれかの光学部材を用いてもよい。また、例えば、移動光学部材としては、投光光学系の光学部材とは別途設けられた異なる光学部材を用いてもよい。
【００３１】
また、例えば、光路切換手段は、第１光路と第２光路を切換えるために、投光光学系、矯正光学系、及び光学部材、が被検眼に対して移動するようにしてもよい。この場合、例えば、投光光学系、矯正光学系、及び光学部材、が被検眼に対して、第１光路と第２光路とが切り換えられるように、回転移動する構成であってもよい。すなわち、例えば、光路切換手段は、被検眼に視標を投光するための光学系全体が回転移動する構成であってもよい。なお、例えば、回転移動する場合、被検眼の回旋中心を回転中心として、投光光学系、矯正光学系、及び光学部材、が回転するようにしてもよい。もちろん、例えば、光路切換手段は、投光光学系、矯正光学系、及び光学部材の少なくともいずれかが移動することによって、第１光路と第２光路を切換えられる構成であってもよい。
【００３２】
例えば、光路切換手段は、投光光学系の光源がディスプレイである場合に、ディスプレイに表示される視標の位置を変更することで、第１光路と第２光路を切換えるようにしてもよい。なお、例えば、ディスプレイは、左右一対に設けられた投光光学系のそれぞれに設けられる構成であってもよい。また、ディスプレイは、左右一対に設けられた投光光学系で兼用される構成であってもよい。
【００３３】
なお、例えば、光路切換手段は、上記構成に限定されない。例えば、光路切換手段は、
第１光路と第２光路を切換えることができる構成であればよい。
【００３４】
なお、例えば、矯正光学系と被検者との間に光学部材を挿脱して第１光路と第２光路を切り換える場合に、光路切換手段による第１光路と第２光路との光路の切換に基づいて、投光光学系の光源の光量を変更する光量変更手段を備えるようにしてもよい。一例として、例えば、矯正光学系と被検者との間に光学部材を挿入して、第１光路から第２光路へ光路の切り換えを行った場合に、投光光学系の光源の光量を増加させるようにしてもよい。また、一例として、例えば、矯正光学系と被検者との間の光学部材を離脱させて、第２光路から第１光路へ光路の切り換えを行った場合に、投光光学系の光源の光量を低下させるようにしてもよい。このように、例えば、第１光路と第２光路を切換えるために、矯正光学系と被検者との間に光学部材を挿脱した場合に、光学部材を経由した光路と光学部材を経由していない光路とで、光学部材による光量の減光によって、被検眼へ投光される視標光束の光量が変化してしまう。このため、同一の被検眼に対して、光路を切り換えて検査をそれぞれ行った場合に、同一の条件にて、測定を行うことが困難となる。例えば、第１光路と第２光路との光路の切換に基づいて、光源の光量を変更することで、光路を変更した場合であっても、同一の条件での測定を可能として、精度よく測定を行うことができる。
【００３５】
＜輻輳角度変更手段＞
例えば、輻輳角度変更手段は、光学部材を移動することによって、輻輳角度を変更するようにしてもよい。なお、例えば、輻輳角度とは、左右の投光光学系の光軸が成す角度であってもよい。例えば、輻輳角度変更手段は、投光光学系の光路において移動可能な移動光学部材を移動することによって、輻輳角度を変更するようにしてもよい。この場合、例えば、移動光学部材を投光光学系の光路において移動させる駆動手段と、を備える構成であってもよい。例えば、移動光学部材としては、レンズ、プリズム、ミラー等を用いてもよい。また、例えば、移動光学部材としては、投光光学系のいずれかの光学部材を用いてもよい。また、例えば、移動光学部材としては、投光光学系の光学部材とは別途設けられた異なる光学部材を用いてもよい。
【００３６】
また、例えば、輻輳角度変更手段は、光学部材を挿脱することによって、輻輳角度を変更するようにしてもよい。この場合、例えば、光学部材を挿脱するための駆動手段（例えば、モータ等）を備えていてもよい。例えば、駆動手段が駆動されることによって、光学部材が挿脱されるようにしてもよい。例えば、挿脱される光学部材としては、レンズ、プリズム、ミラー等を用いてもよい。
【００３７】
また、例えば、輻輳角度変更手段は、投光光学系、矯正光学系、及び光学部材、が被検眼に対して移動するようにして輻輳角度を変更するようにしてもよい。この場合、例えば、投光光学系、矯正光学系、及び光学部材、が被検眼に対して回転移動する構成であってもよい。すなわち、例えば、輻輳角度変更手段は、被検眼に視標を投光するための光学系全体が回転移動する構成であってもよい。なお、例えば、回転移動する場合、被検眼の回旋中心を回転中心として、投光光学系、矯正光学系、及び光学部材、が回転するようにしてもよい。もちろん、輻輳角度変更手段は、投光光学系、矯正光学系、及び光学部材の少なくともいずれかが移動することによって、輻輳角度が変更できる構成であってもよい。
【００３８】
例えば、輻輳角度変更手段は、投光光学系の光源がディスプレイである場合に、ディスプレイに表示される視標の位置を変更することで、輻輳角度を変更するようにしてもよい。なお、例えば、ディスプレイは、左右一対に設けられた投光光学系のそれぞれに設けられる構成であってもよい。また、ディスプレイは、左右一対に設けられた投光光学系で兼用される構成であってもよい。
【００３９】
なお、例えば、輻輳角度変更手段は、上記構成に限定されない。例えば、輻輳角度変更手段は、輻輳角度が変更できる構成であってもよい。
【００４０】
例えば、輻輳角度変更手段は、距離変更手段による呈示距離の変更と、光路切換手段による第１光路と第２光路との光路の切換と、の少なくともいずれかに基づいて、輻輳角度を変更するようにしてもよい。  これによって、例えば、検査条件を変更した際に、各種部材の設定をそれぞれ行うことが必要なくなり、測定のための設定を容易に行うことができる。これによって、スムーズに測定を開始することができる。
【００４１】
例えば、輻輳角度変更手段は、遠用検査の設定がされた場合に、距離変更手段による呈示距離を遠用の呈示距離に呈示距離を変更するとともに、輻輳角度変更手段によって遠用の輻輳角度へ変更するようにしてもよい。また、例えば、輻輳角度変更手段は、遠用検査の設定がされた場合に、光路切換手段によって光路を遠用の第１光路へ変更するとともに、輻輳角度変更手段によって遠用の輻輳角度へ変更するようにしてもよい。
【００４２】
例えば、輻輳角度変更手段は、近用検査の設定がされた場合に、距離変更手段による呈示距離を近用の呈示距離に呈示距離を変更するとともに、輻輳角度変更手段によって近用の輻輳角度へ変更するようにしてもよい。また、例えば、輻輳角度変更手段は、近用検査の設定がされた場合に、光路切換手段によって光路を近用の第２光路へ変更するとともに、輻輳角度変更手段によって近用の輻輳角度へ変更するようにしてもよい。
【００４３】
もちろん、輻輳角度は遠用又は近用の輻輳角度に限定されず、任意の輻輳角度に変更できるようにしてもよい。
【００４４】
＜光路切換に基づくアライメント基準位置変更＞
例えば、自覚式検眼装置は、アライメント検出手段（例えば、制御部７０）を備えていてもよい。例えば、アライメント検出手段は、被検眼と視標光束とのアライメント状態を検出するようにしてもよい。この場合、例えば、アライメント検出手段は、被検眼とアライメント基準位置との位置ずれに基づいて、被検眼と視標光束とのアライメント状態を検出するようにしてもよい。例えば、アライメント検出手段は、距離変更手段による呈示距離の変更と、光路切換手段による第１光路と第２光路との光路の切換と、輻輳角度変更手段による輻輳角度の変更と、の少なくともいずれかに基づいて、アライメント基準位置を変更するようにしてもよい。
【００４５】
例えば、距離変更手段による呈示距離の変更と、光路切換手段による第１光路と第２光路との光路の切換と、輻輳角度変更手段による輻輳角度の変更と、の少なくともいずれかを変更した場合には、瞳共役位置が変更されることになるため、アライメント基準位置に基づくアライメントを行った場合であっても、視標光束を被検眼に良好に投影できなくなる。このため、各種設定の変更が行われた場合であっても、アライメント基準位置を変更することで、アライメントを行った場合に、視標光束を被検眼に良好に投影できるようになる。これによって、各種設定の変更を行った場合であっても、精度よく測定を行うことができる。
【００４６】
例えば、アライメント検出手段は、被検眼に対してアライメント光を投光し、角膜周辺にアライメント指標を形成させるアライメント指標投光光学系（例えば、第１指標投影光学系４５、第２指標投影光学系４６）を備えていてもよい。この場合、例えば、アライメント検出手段は、前眼部観察光学系（例えば、観察光学系５０）によって撮影されたアライメント指標とアライメント基準位置との位置ずれに基づいて、アライメント状態を検出することで、被検眼と視標光束の投影位置（矯正光学系の像）との相対位置を検出すること構成であってもよい。また、例えば、アライメント検出手段は、前眼部観察光学系により撮像された前眼部正面像から瞳孔位置を検出し、検出された瞳孔位置とアライメント基準位置との位置ずれに基づいて、アライメント状態を検出することで、被検眼と視標光束の投影位置との相対位置を検出すること構成であってもよい。なお、例えば、アライメント基準位置は、角膜頂点位置と投光光学系の光軸が一致する位置として、予め、設定されていてもよい。また、例えば、アライメント基準位置は、瞳孔位置と投光光学系の光軸が一致する位置として、予め、設定されていてもよい。また、例えば、アライメント基準位置は、瞳孔位置と投光光学系の瞳共役位置が一致する位置として、予め、設定されていてもよい。もちろん、アライメント基準位置は上記構成に限定されず、被検眼と投光光学系の光軸との位置合わせができるような基準となるものであればよい。
【００４７】
例えば、アライメント検出手段は、被検眼と投光光学系の光軸との左右方向（Ｘ方向）における位置ずれを検出する構成であってもよい。また、例えば、アライメント検出手段は、被検眼と投光光学系の光軸との上下方向（Ｙ方向）における位置ずれを検出する構成であってもよい。例えば、アライメント検出手段は、被検眼と自覚式検眼装置との前後方向（Ｚ方向）における位置ずれを検出する構成であってもよい。例えば、位置ずれ補正及びプリズム度数を付与は、別途それぞれ異なるタイミングで実施されてもよい。また、例えば、位置ずれ補正及びプリズム度数を付与は、同一のタイミングで実施されていてもよい。なお、同一とは略同一を含む。
【００４８】
例えば、アライメント検出手段は、アライメント基準位置の変更として、被検眼と投光光学系の光軸との左右方向（Ｘ方向）にアライメント基準位置を変更する構成であってもよい。また、例えば、アライメント検出手段は、アライメント基準位置の変更として、被検眼と投光光学系の光軸との上下方向（Ｙ方向）にアライメント基準位置を変更する構成であってもよい。例えば、アライメント検出手段は、アライメント基準位置の変更として、前後方向（Ｚ方向）のアライメント基準位置を変更する構成であってもよい。なお、アライメント検出手段は、アライメント基準位置の変更として、Ｘ方向と、Ｙ方向と、Ｚ方向と、の少なくともいずれかの方向にアライメント基準位置を変更するようにしてもよい。
【００４９】
例えば、例えば、アライメント基準位置の変更を行う場合、予め、距離変更手段による呈示距離の変更と、光路切換手段による第１光路と第２光路との光路の切換と、輻輳角度変更手段による輻輳角度の変更と、の少なくともいずれかに対応したアライメント基準位置の位置情報が設定されたテーブルが作成されてもよく、作成されたテーブルは、メモリに記憶されてもよい。この場合、例えば、制御手段は、距離変更手段による呈示距離の変更と、光路切換手段による第１光路と第２光路との光路の切換と、輻輳角度変更手段による輻輳角度の変更と、の少なくともいずれかに対応するアライメント基準位置をメモリより呼び出し、アライメント基準位置を呼び出したアライメント基準位置に変更をするようにしてもよい。また、例えば、アライメント基準位置は、距離変更手段による呈示距離の変更と、光路切換手段による第１光路と第２光路との光路の切換と、輻輳角度変更手段による輻輳角度の変更と、の少なくともいずれかに対応するアライメント基準位置を算出するための演算式がメモリに記憶され、演算式を用いてアライメント基準位置を求めてもよい。
【００５０】
なお、例えば、アライメント検出手段は、距離変更手段による呈示距離の変更と、光路切換手段による第１光路と第２光路との光路の切換と、輻輳角度変更手段による輻輳角度の変更と、の少なくともいずれかに基づいて、アライメント状態の検出方法を変更するようにしてもよい。例えば、アライメント検出手段は、アライメント指標とアライメント基準位置との位置ずれに基づいて、アライメント状態を検出する第１検出方法と、前眼部正面像から瞳孔位置を検出し、検出された瞳孔位置とアライメント基準位置との位置ずれに基づいて、アライメント状態を検出する第２検出方法と、を切り換えるようにしてもよい。
【００５１】
＜前眼部画像撮影＞
例えば、自覚式検眼装置は、左右の被検眼の前眼部画像を撮影する前眼部撮像光学系（例えば、第２指標投影光学系４６、観察光学系５０）を備えていてもよい。この場合、例えば、前眼部撮像光学系の光軸と投光光学系の光軸とが同軸であってもよい。なお、本開示において、同軸とは略同軸を含む。なお、例えば、前眼部画像は、第１光路と、第２光路と、の少なくともいずれかの光路において撮影されてもよい。例えば、前眼部撮像光学系の光軸と投光光学系の光軸とが同軸であるため、光路を切り換えた場合であっても、被検者の視線方向から前眼部画像を撮影することができる。これによって、被検者の視線方向から撮影された前眼部画像を用いて被検眼に関する各種パラメータを取得することができる。このため、被検眼に関する各種パラメータを精度よく取得することができる。
【００５２】
例えば、前眼部撮像光学系として、前眼部を照明するため照明光学系（例えば、第２指標投影光学系４６）と、照明光学系によって照明された前眼部を撮像する撮像光学系（例えば、観察光学系５０）と、を有する構成であってもよい。例えば、照明光学系は、他の光学系の光源が兼用される構成であってもよい。また、例えば、照明光学系は、別途、前眼部を照明するための専用の光源が設けられる構成であってもよい。例えば、撮像光学系は、他の光学系の撮像素子が兼用される構成であってもよい。また、例えば、撮像光学系は、別途、前眼部を撮像するための専用の撮像素子（例えば、二次元撮像素子５２）が設けられる構成であってもよい。
【００５３】
例えば、左右の被検眼の前眼部画像を取得する構成として、前眼部撮影光学系は、１つの前眼部画像に左右の被検眼の前眼部が含まれるように前眼部画像を取得する構成であってもよい。この場合、例えば、左右の前眼部を撮影範囲に含める範囲で撮影できる前眼部撮影光学系を用いて、前眼部の撮影を行うようにしてもよい。
【００５４】
また、例えば、左右の被検眼の前眼部画像を取得する構成として、同時に取得された複数の前眼部画像に左右の被検眼の前眼部が含まれるような前眼部画像を取得する構成であってもよい。この場合、例えば、左右の被検眼をそれぞれ撮影するために設けられた前眼部撮像光学系をそれぞれ設け、左右それぞれの前眼部撮像光学系によって左右の前眼部をそれぞれ撮影する構成であってもよい。また、この場合、例えば、１つの前眼部撮像光学系が左右の被検眼をそれぞれ撮影できる位置に移動して左右の前眼部画像を撮影する構成であってもよい。
【００５５】
例えば、自覚式検眼装置は、前眼部撮像光学系によって撮影された前眼部画像を解析することによって、被検眼に関するパラメータを取得する解析手段（例えば、制御部７０）を備えてもよい。例えば、パラメータとしては、瞳孔間距離であってもよい。この場合、例えば、解析手段は、前眼部撮像光学系によって撮影された前眼部画像を解析することによって、瞳孔間距離を取得するようにしてもよい。また、例えば、パラメータとしては、瞳孔間距離に限定されない。例えば、パラメータとしては、前眼部画像から取得される被検眼に関するパラメータであってもよい。例えば、パラメータとしては、瞳孔径、瞳孔位置等であってもよい。なお、被検者が眼鏡を装用している場合には、眼鏡装用パラメータ（例えば、アイポジション高さ（フィッティングポイント高さ）、眼鏡装用距離、等）であってもよい。
【００５６】
例えば、解析手段は、解析する際の解析処理として、各部位（例えば、黒目部分、虹彩部分、瞳孔部分、強膜部分（白目部分）等）を検出する処理であってもよい。また、例えば、解析処理としては、被検眼の角膜に指標を投影し、被検眼の角膜に形成される指標像を検出する処理であってもよい。もちろん、解析処理としては、各部位又は指標像とは異なる部位を検出する処理であってもよい。
【００５７】
例えば、解析処理によって、各部位又は指標像を検出する処理としては、エッジ検出を行う処理であってもよい。この場合、例えば、エッジ検出としては、輝度の立ち上がり、立ち下がりを検出する構成であってもよい。もちろん、解析処理としては、各部位又は指標像を画像処理によって検出できる処理であればよい。
【００５８】
＜他覚式測定手段＞
例えば、自覚式検眼装置は、他覚式測定手段を備えていてもよい。例えば、他覚式測定手段は、被検眼の眼底に測定光を出射し、その反射光を受光する測定光学系（例えば、他覚式測定光学系１０）を有し、前記被検眼の光学特性を他覚的に測定するようにしてもよい。例えば、測定光学系の光軸は、光学部材（矯正光学系によって矯正された視標光束を被検眼に導光する光学部材）から被検眼に向けて視標光束が導光されるまでの投光光学系の光軸と同軸であって、第１光路と第２光路とのそれぞれで被検眼の光学特性を他覚的に測定可能とするようにしてもよい。なお、本開示において、同軸とは略同軸を含む。これによって、例えば、第１光路と第２光路を切り換えた場合であっても、それぞれの光路において、他覚的に光学特性を測定することができる。このため、より自然視に近い状態での他覚的測定を行うことができ、より精度の良い他覚測定結果を得ることができる。
【００５９】
例えば、他覚的に測定される被検眼の光学特性としては、眼屈折力（例えば、球面度数、乱視度数、乱視軸角度等）、偏光特性、水晶体の厚み情報等が挙げられる。
【００６０】
例えば、他覚的に測定される被検眼の光学特性としては、他覚式測定手段によって撮像された撮像結果（撮像画像）及び撮像結果を解析処理することによって取得されるパラメータの少なくともいずれかであってもよい。すなわち、他覚的に測定される被検眼の光学特性としては、他覚式測定手段によって撮像される撮像結果に基づくものであればよい
例えば、他覚式測定手段は、左右一対に設けられた右被検眼用測定光学系と左被検眼用測定光学系を有するようにしてもよい。この場合、例えば、右被検眼用測定光学系と左被検眼用測定光学系左右の測定を略同時に実行するようにしてもよい。また、この場合、例えば、右被検眼用測定光学系と左被検眼用測定光学系左右の測定を異なるタイミングで実施するようにしてもよい。例えば、異なるタイミングは、右被検眼用測定光学系と左被検眼用測定光学系の一方の測定光学系の測定が完了したタイミングであってもよい。また、例えば、異なるタイミングは、右被検眼用測定光学系と左被検眼用測定光学系の一方の測定光学系の測定を実施している間であってもよい。
【００６１】
また、例えば、他覚式測定手段は、１つの測定光学系によって、左右被検眼の測定が行われるようにしてもよい。この場合、例えば、一方の被検眼の眼底に測定光を出射して被検眼の測定を行うとともに、一方の眼の測定が完了した場合に、他方の被検眼の眼底に測定光が出射できるように調整を行い、他方の被検眼の測定を行う構成としてもよい。
【００６２】
例えば、測定光学系は、被検者眼眼底に向けて光源から測定光を投光する投光光学系と、測定光の眼底での反射によって取得される反射光を撮像素子で撮像する撮像光学系と、を有していてもよい。例えば、測定光学系は、被検眼の眼屈折力を測定する光学系であってもよい。この場合、例えば、測定光学系としては、被検眼の瞳孔中心部を介して被検眼の眼底にスポット状の測定指標を投影し、眼底から反射された眼底反射光を瞳孔周辺部を介させてリング状に取り出し、撮像素子にリング状の眼底反射像を撮像させる構成が挙げられる。また、この場合、例えば、測定光学系としては、瞳孔周辺部から眼底にリング状の測定指標を投影し、瞳孔中心部から眼底反射光を取り出し、撮像素子にリング状の眼底反射像を撮像させる構成が挙げられる。また、この場合、例えば、測定光学系は、シャックハルトマンセンサーを備えた構成であってもよい。また、この場合、例えば、測定光学系は、被検眼にスリットを投影する位相差方式を有する構成であってもよい。
【００６３】
例えば、本実施形態において、第１光路と第２光路とのそれぞれで調節情報を取得してもよい。例えば、他覚式測定手段によって被検眼の光学特性を他覚的に測定して第１光学特性を取得するとともに、他覚式測定手段によって第１光学特性を取得したタイミングとは異なるタイミングで被検眼の光学特性を他覚的に測定して第２光学特性を取得するようにしてもよう。なお、第１光学特性及び第２光学特性の少なくとも一方は、自覚式測定手段によって被検眼の光学特性を自覚的に測定している間に、測定するようにしてもよい。例えば、調節情報取得手段は、第１光学特性及び第２光学特性に基づく調節情報を取得するようにしてもよい。これによって、例えば、第１光路と第２光路を切り換えて、それぞれの光路において、調節情報を取得することができる。
【００６４】
なお、例えば、調節情報を取得する際の第１光学特性及び第２光学特性としては、被検眼の調節状態の変化による影響がより生じやすい眼屈折力を用いることで、より光学特性の変化を捉えやすい。さらに、眼屈折力を用いる場合には、少なくとも球面度数を用いると、より光学特性の変化を捉えやすい。もちろん、調節情報を取得する際に、眼屈折力を用いる場合には、球面度数、乱視度数、及び乱視軸角度の少なくともいずれかが用いられる構成であってもよい。
【００６５】
なお、本実施形態において、呈示距離変更手段と、光路切換手段と、輻輳角度変更手段と、アライメント検出手段と、解析手段と、少なくともいずれかが兼用された構成であってもよい。また、例えば、呈示距離変更手段と、光路切換手段と、輻輳角度変更手段と、アライメント検出手段と、解析手段と、が別途それぞれ設けられている構成であってもよい。もちろん、上記各制御手段は、複数の制御手段によって構成されてもよい。
【００６６】
＜実施例＞
以下、本実施例における自覚式検眼装置について説明する。例えば、自覚式検眼装置としては、自覚式測定手段を備えていてもよい。また、例えば、自覚式検眼装置としては、他覚式測定手段を備えていてもよい。なお、本実施例においては、自覚式測定手段と、他覚式測定手段と、をどちらも備えた自覚式検眼装置を例に挙げて説明する。
図１は、本実施例に係る自覚式検眼装置１の外観図を示す。例えば、自覚式検眼装置１は、筐体２、呈示窓３、モニタ４、顎台５、基台６、前眼部撮像光学系１００等を備える。例えば、筐体２は、その内部に測定手段７を備える（詳細については後述する）。例えば、呈示窓３は、被検者に視標を呈示するために用いる。例えば、被検者の被検眼Ｅには、測定手段７からの視標光束が呈示窓３を介して投影される。
【００６７】
例えば、モニタ（ディスプレイ）４は、被検眼Ｅの光学特性結果（例えば、球面屈折度Ｓ、円柱屈折度Ｃ、乱視軸角度Ａ、プリズム値Δ等）を表示する。例えば、モニタ４はタッチパネルである。すなわち、本実施例においては、モニタ４が操作部（コントローラ）として機能する。例えば、モニタ４から入力された操作指示に応じた信号は、後述する制御部７０に出力される。なお、モニタ４はタッチパネル式でなくてもよいし、モニタ４と操作部とを別に設ける構成であってもよい。例えば、この場合には、操作部として、マウス、ジョイスティック、キーボード等の操作手段の少なくともいずれかを用いる構成が挙げられる。
【００６８】
例えば、モニタ４は、筺体２に搭載されたディスプレイであってもよいし、筺体２に接続されたディスプレイであってもよい。例えば、この場合には、パーソナルコンピュータのディスプレイを用いる構成としてもよい。また、複数のディスプレイを併用してもよい。
【００６９】
例えば、顎台５によって、被検眼Ｅと自覚式検眼装置１との距離が一定に保たれる。なお、本実施例では、被検眼Ｅと自覚式検眼装置１との距離を一定に保つために顎台５を用いる構成を例に挙げて説明したがこれに限定されない。例えば、本実施例においては、被検眼Ｅと自覚式検眼装置１との距離を一定に保つために、額当てや顔当て等を用いる構成であってもよい。例えば、基台６には、顎台５と筐体２が固定されている。
例えば、前眼部撮像光学系１００は、図示なき撮像素子とレンズによって構成される。例えば、前眼部撮像光学系１００は、被検者の顔を撮像するために用いる。
【００７０】
＜測定手段＞
例えば、測定手段７は、左眼用測定手段７Ｌと右眼用測定手段７Ｒを備える。すなわち、本実施例における自覚式検眼装置１は、左右一対の自覚式測定手段と左右一対の他覚式測定手段を有する。なお、本実施例においては、自覚式検眼装置１が左眼用測定手段７Ｌあるいは右眼用測定手段７Ｒのどちらか片方を備え、これが左右方向に移動することによって、左被検眼ＥＬと右被検眼ＥＲのそれぞれに視標光束を投影する構成としてもよい。例えば、本実施例における左眼用測定手段７Ｌと右眼用測定手段７Ｒは、同一の部材を備えている。もちろん、左眼用測定手段７Ｌと右眼用測定手段７Ｒは、少なくとも一部の部材が異なる構成であってもよい。
【００７１】
図２は、測定手段７の構成について説明する図である。例えば、本実施例においては、左眼用測定手段７Ｌを例に挙げて説明する。なお、右眼用測定手段７Ｒは、左眼用測定手段７Ｌと同様の構成であるため、その説明を省略する。例えば、左眼用測定手段７Ｌは、自覚式測定光学系２５、他覚式測定光学系１０、第１指標投影光学系４５、第２指標投影光学系４６、観察光学系５０等を備える。
【００７２】
＜自覚式光学系＞
例えば、自覚式測定光学系２５は、被検眼Ｅの光学特性を自覚的に測定する自覚式測定手段の構成の一部として用いられる（詳細は後述する）。例えば、被検眼Ｅの光学特性としては、眼屈折力、コントラスト感度、両眼視機能（例えば、斜位量、立体視機能等）等が挙げられる。なお、本実施例においては、被検眼Ｅの眼屈折力を測定する自覚式測定手段を例に挙げて説明する。例えば、自覚式測定光学系２５は、投光光学系（視標投光系）３０と、矯正光学系６０と、補正光学系９０とで構成される。
【００７３】
例えば、投光光学系３０は、視標光束を被検眼Ｅに向けて投影する。例えば、投光光学系３０は、ディスプレイ３１、投光レンズ３３、投光レンズ３４、反射ミラー３６、ダイクロイックミラー３５、ダイクロイックミラー２９、対物レンズ１４等を備える。例えば、ディスプレイ３１から投影された視標光束は、投光レンズ３３、投光レンズ３４、反射ミラー３６、ダイクロイックミラー３５、ダイクロイックミラー２９、対物レンズ１４の順に光学部材を経由して、被検眼Ｅに投影される。
【００７４】
例えば、ディスプレイ３１には、ディスプレイ３１を上下方向に回転させる（チルトさせる）ための駆動機構３７（例えば、モータ等）が備えられている。例えば、ディスプレイ３１は、駆動機構３７によって、ディスプレイ３１の中心から左右方向に伸びる軸の軸回りに回転する。なお、ディスプレイ３１は、ディスプレイ３１の中心とは異なる位置から左右方向に伸びる軸の軸回りに回転してもよい。これによって、ディスプレイ３１は光軸Ｌ２方向に対して上下に傾斜する。また、例えば、ディスプレイ３１には、ディスプレイ３１を左右方向に回転させる（パンさせる）ための駆動機構３８（例えば、モータ等）が備えられている。例えば、ディスプレイ３１は、駆動機構３８によって、ディスプレイ３１の中心から上下方向に伸びる軸の軸回りに回転する。なお、ディスプレイ３１は、ディスプレイ３１の中心とは異なる位置から上下方向に伸びる軸の軸回りに回転してもよい。これによって、ディスプレイ３１は光軸Ｌ２方向に対して左右に傾斜する。
【００７５】
例えば、ディスプレイ３１には、ランドルト環視標等の検査視標、被検眼Ｅを固視させるための固視標等が表示される。例えば、ディスプレイ３１からの視標光束が、被検眼Ｅに向けて投影される。例えば、本実施例においては、ディスプレイ３１として、ＬＣＤ（Liquid Crystal Display）を用いた場合を例に挙げて以下の説明を行う。なお、ディスプレイとしては、有機ＥＬ（Electro Luminescence）ディスプレイやプラズマディスプレイ等を用いることもできる。
【００７６】
例えば、矯正光学系６０は、投光光学系３０の光路中に配置される。例えば、矯正光学系６０は、視標光束の光学特性を変化させる。例えば、矯正光学系６０は、乱視矯正光学系６３と駆動機構３９を備える。例えば、乱視矯正光学系６３は、投光レンズ３３と投光レンズ３４との間に配置されている。例えば、乱視矯正光学系６３は、被検眼Ｅの円柱度数や円柱軸（乱視軸）等を矯正するために用いられる。例えば、乱視矯正光学系６３は、焦点距離の等しい、２枚の正の円柱レンズ６１ａと６１ｂから構成される。円柱レンズ６１ａと円柱レンズ６１ｂは、それぞれ回転機構６２ａと６２ｂの駆動によって、光軸Ｌ２を中心として各々が独立に回転される。なお、本実施例においては、乱視矯正光学系６３として、２枚の正の円柱レンズ６１ａと６１ｂを用いる構成を例に挙げて説明したがこれに限定されない。乱視矯正光学系６３は、円柱度数、乱視軸等を矯正できる構成であればよい。この場合には、例えば、矯正レンズを投光光学系３０の光路に出し入れする構成でもよい。
【００７７】
例えば、駆動機構３９は、モータ及びスライド機構からなる。例えば、駆動機構３９によって、ディスプレイ３１は光軸Ｌ２の方向に一体的に移動される。例えば、自覚測定時においては、ディスプレイ３１が移動することによって、被検眼Ｅに対する視標の呈示位置（呈示距離）が光学的に変えられ、被検眼Ｅの球面屈折力が矯正される。すなわち、ディスプレイ３１の移動によって、球面度数の矯正光学系が構成される。また、例えば、他覚測定時においては、ディスプレイ３１が移動することによって、被検眼Ｅに雲霧が掛けられる。なお、球面度数の矯正光学系としてはこれに限定されない。例えば、球面度数の矯正光学系は、多数の光学素子を有し、光路中に光学素子が配置されることによって矯正を行う構成であってもよい。また、例えば、球面度数の矯正光学系は、光路中に配置されたレンズを光軸方向に移動させる構成であってもよい。
【００７８】
なお、本実施例においては、球面度数、円柱度数、円柱軸を矯正する矯正光学系を例に挙げて説明しているがこれに限定されない。例えば、プリズム値を矯正する矯正光学系を設けてもよい。プリズム値の矯正光学系を設けることによって、被検者が斜位眼であっても、視標光束が被検眼Ｅに投影されるように矯正することができる。
【００７９】
なお、本実施例においては、円柱度数及び円柱軸（乱視軸）を矯正するための乱視矯正光学系６３と、球面度数を矯正するための矯正光学系（例えば、駆動手段３９）と、を別途設ける構成を例に挙げて説明したがこれに限定されない。例えば、矯正光学系としては、球面度数、円柱度、乱視軸を矯正する矯正光学系を備える構成であればよい。すなわち、本実施例における矯正光学系は、波面を変調させる光学系であってもよい。また、例えば、矯正光学系としては、球面度数、円柱度数、乱視軸等を矯正する光学系であってもよい。この場合には、例えば、矯正光学系が、同一円周上に多数の光学素子（球面レンズ、円柱レンズ、分散プリズム等）を配置したレンズディスクを備える構成が挙げられる。レンズディスクは駆動部（アクチュエータ、ステッピングモータ等）によって回転制御され、検者が所望する光学素子（例えば、円柱レンズ、クロスシリンダレンズ、ロータリプリズム等）が、検者が所望する回転角度にて、光軸Ｌ２に配置される。例えば、光軸Ｌ２に配置される光学素子の切換え等は、モニタ４等の操作によって行われてもよい。
レンズディスクは、１つのレンズディスク、又は複数のレンズディスクからなる。複数のレンズディスクが配置された場合、各レンズディスクに対応する駆動部がそれぞれ設けられる。例えば、レンズディスク群として、各レンズディスクが開口（又は０Ｄのレンズ）及び複数の光学素子を備える。各レンズディスクの種類としては、度数の異なる複数の球面レンズを有する球面レンズディスク、度数の異なる複数の円柱レンズを有する円柱レンズディスク、複数種類の補助レンズを有する補助レンズディスクが代表的である。補助レンズディスクには、赤フィルタ／緑フィルタ、プリズム、クロスシリンダレンズ、偏光板、マドックスレンズ、オートクロスシリンダレンズの少なくともいずれかが配置される。また、円柱レンズは、駆動部により光軸Ｌ２を中心に回転可能に配置され、ロータリプリズム及びクロスシリンダレンズは、駆動部により各光軸を中心に回転可能に配置されてもよい。
【００８０】
例えば、補正光学系９０は、対物レンズ１４と後述する偏向ミラー８１の間に配置される。例えば、補正光学系９０は、自覚測定において生じる光学収差（例えば、非点収差等）を補正するために用いられる。例えば、補正光学系９０は、焦点距離の等しい、２枚の正の円柱レンズ９１ａと９１ｂから構成される。例えば、補正光学系９０は、円柱度数と乱視軸を調整することによって、非点収差を補正する。円柱レンズ９１ａと円柱レンズ９１ｂは、それぞれ回転機構９２ａと９２ｂの駆動によって、光軸Ｌ３を中心として各々が独立に回転される。なお、本実施例では、補正光学系９０として、２枚の正の円柱レンズ９１ａと９１ｂを用いる構成を例に挙げて説明したがこれに限定されない。補正光学系９０は、非点収差を矯正できる構成であればよい。この場合には、例えば、補正レンズを光軸Ｌ３に出し入れする構成でもよい。
【００８１】
なお、本実施例においては、矯正光学系６０とは別に補正光学系９０を配置する構成を例に挙げて説明したがこれに限定されない。例えば、矯正光学系６０が補正光学系９０を兼用する構成であってもよい。この場合には、被検眼Ｅの円柱度数と円柱軸（乱視軸）が非点収差量に応じて補正される。すなわち、矯正光学系６０が、非点収差量を考慮した（補正した）円柱度数や乱視軸に矯正するように駆動される。例えば、矯正光学系６０と補正光学系９０とを兼用することによって、複雑な制御を必要としないため、簡易的な構成で光学収差を補正することができる。また、例えば、矯正光学系６０と補正光学系９０とを兼用することによって、光学収差用の補正光学系を別途設ける必要がないため、簡易的な構成で光学収差を補正することができる。
【００８２】
＜他覚式光学系＞
例えば、他覚式測定光学系１０は、被検眼の光学特性を他覚的に測定する他覚式測定手段の構成の一部として用いられる（詳細は後述する）。例えば、被検眼Ｅの光学特性としては、眼屈折力、眼軸長、角膜形状等が挙げられる。本実施例においては、被検眼Ｅの眼屈折力を測定する他覚式測定手段を例に挙げて説明する。例えば、他覚式測定光学系１０は、投影光学系１０ａ、受光光学系１０ｂ、補正光学系９０、で構成される。
【００８３】
例えば、投影光学系（投光光学系）１０ａは、被検眼Ｅの瞳孔中心部を介して被検眼Ｅの眼底にスポット状の測定指標を投影する。例えば、受光光学系１０ｂは、眼底から反射された眼底反射光を、瞳孔周辺部を介してリング状に取り出し、二次元撮像素子２２にリング状の眼底反射像を撮像させる。
【００８４】
例えば、投影光学系１０ａは、他覚式測定光学系１０の光軸Ｌ１上に配置された測定光源１１、リレーレンズ１２、ホールミラー１３、プリズム１５、駆動部（モータ）２３、ダイクロイックミラー３５、ダイクロイックミラー２９、及び対物レンズ１４を含む。例えば、プリズム１５は光束偏向部材である。例えば、駆動部２３は、光軸Ｌ１を中心としてプリズム１５を回転駆動させる。例えば、光源１１は被検眼Ｅの眼底と共役な関係となっている。また、ホールミラー１３のホール部は、被検眼Ｅの瞳孔と共役な関係となっている。例えば、プリズム１５は被検眼Ｅの瞳孔と共役な位置から外れた位置に配置されており、通過する光束を光軸Ｌ１に対して偏心させる。なお、プリズム１５に代えて、光束偏向部材として平行平面板を光軸Ｌ１上に斜めに配置する構成でも良い。
【００８５】
例えば、ダイクロイックミラー３５は、自覚式測定光学系２５の光路と、他覚式測定光学系１０の光路と、を共通にする。すなわち、例えば、ダイクロイックミラー３５は、自覚式測定光学系２５の光軸Ｌ２と、他覚式測定光学系１０の光軸Ｌ１と、を同軸にする。例えば、光路分岐部材であるダイクロイックミラー２９は、自覚測定光学系２５による光束及び投影光学系１０ａによる測定光を反射して、被検眼Ｅに導く。
【００８６】
例えば、受光光学系１０ｂは、投影光学系１０ａの対物レンズ１４、ダイクロイックミラー２９、ダイクロイックミラー３５、プリズム１５、ホールミラー１３を共用し、ホールミラー１３の反射方向の光路に配置されたリレーレンズ１６、ミラー１７、ミラー１７の反射方向の光路に配置された受光絞り１８、コリメータレンズ１９、リングレンズ２０、ＣＣＤ等の二次元撮像素子２２を備える。例えば、受光絞り１８及び二次元撮像素子２２は、被検眼Ｅの眼底と共役な関係となっている。例えば、リングレンズ２０は、リング状に形成されたレンズ部と、レンズ部以外の領域に遮光用のコーティングを施した遮光部と、から構成され、被検眼Ｅの瞳孔と光学的に共役な位置関係となっている。例えば、二次元撮像素子２２からの出力は、制御部７０に入力される。
【００８７】
例えば、ダイクロイックミラー２９は、被検眼Ｅの眼底に導かれた投影光学系１０ａからの測定光の反射光を受光光学系１０に向けて反射する。また、例えば、ダイクロイックミラー２９は、前眼部観察光及びアライメント光を透過して、観察光学系５０に導く。例えば、ダイクロイックミラー３５は、被検眼Ｅの眼底に導かれた投影光学系１０ａからの測定光の反射光を受光光学系１０に向けて反射する。
【００８８】
なお、他覚式測定光学系１０は上記のものに限らず、瞳孔周辺部から眼底にリング状の測定指標を投影して瞳孔中心部から眼底反射光を取り出し、二次元撮像素子２２にリング状の眼底反射像を受光させる構成等、周知のものが使用できる。
なお、他覚式測定光学系１０は上記のものに限らず、被検眼Ｅの眼底に向けて測定光を投光する投光光学系と、眼底における測定光の反射によって取得される反射光を受光素子によって受光する受光光学系と、を有する測定光学系であればよい。例えば、眼屈折力測定光学系は、シャックハルトマンセンサーを備えた構成であってもよい。もちろん、他の測定方式を備えた装置を利用してもよい（例えば、スリットを投影する位相差方式の装置）。
【００８９】
例えば、投影光学系１０ａの光源１１と、受光光学系１０ｂの受光絞り１８、コリメータレンズ１９、リングレンズ２０、二次元撮像素子２２は、光軸方向に一体的に移動可能となっている。本実施例において、例えば、投影光学系１０ａの光源１１と、受光光学系１０ｂの受光絞り１８、コリメータレンズ１９、リングレンズ２０、二次元撮像素子２２は、ディスプレイ３１を駆動させる駆動機構３９により、光軸Ｌ１の方向に一体的に移動される。すなわち、ディスプレイ３１、投影光学系１０ａの光源１１、受光光学系１０ｂの受光絞り１８、コリメータレンズ１９、リングレンズ２０、二次元撮像素子２２は、駆動ユニット９５として同期し、一体的に移動する。もちろん、別途、それぞれが駆動される構成としてもよい。
【００９０】
例えば、駆動ユニット９５は、外側のリング光束が各経線方向に関して二次元撮像素子２２上に入射するように、他覚式測定光学系１０の一部を光軸方向に移動させる。すなわち、他覚式測定光学系１０の一部を被検眼Ｅの球面屈折誤差（球面屈折力）に応じて光軸Ｌ１方向に移動させることで、球面屈折誤差を補正し、被検眼Ｅの眼底に対して光源１１、受光絞り１８及び二次元撮像素子２２が光学的に共役になるようにする。例えば、駆動機構３９の移動位置は、図示なきポテンショメータによって検出される。なお、ホールミラー１３とリングレンズ２０は、駆動ユニット９５の移動量に拘わらず、被検眼Ｅの瞳と一定の倍率で共役になるように配置されている。
【００９１】
上記の構成において、光源１１から出射された測定光束は、リレーレンズ１２、ホールミラー１３、プリズム１５、ダイクロイックミラー３５、ダイクロイックミラー２９、対物レンズ１４、を経て被検眼Ｅの眼底上にスポット状の点光源像を形成する。このとき、光軸周りに回転するプリズム１５によって、ホールミラー１３におけるホール部の瞳投影像（瞳上での投影光束）は高速に偏心回転される。眼底に投影された点光源像は、反射・散乱されて被検眼Ｅから射出し、対物レンズ１４によって集光され、ダイクロイックミラー２９、ダイクロイックミラー３５、高速回転するプリズム１５、ホールミラー１３、リレーレンズ１６、ミラー１７を介して受光絞り１８の位置に再び集光され、コリメータレンズ１９とリングレンズ２０とによって二次元撮像素子２２にリング状の像が結像する。
【００９２】
例えば、プリズム１５は、投影光学系１０ａと受光光学系１０ｂの共通光路に配置されている。例えば、眼底からの反射光束は投影光学系１０ａと同じプリズム１５を通過するため、それ以降の光学系では、あたかも瞳孔上における投影光束・反射光束（受光光束）の偏心がなかったかのように逆走査される。
【００９３】
例えば、補正光学系９０は、自覚式測定光学系２５と兼用される。もちろん、別途、他覚式測定光学系１０で用いる補正光学系を設ける構成としてもよい。
【００９４】
＜第１指標投影光学系及び第２指標投影光学系＞
例えば、本実施例においては、第１指標投影光学系４５及び第２指標投影光学系４６が、補正光学系９０と、偏向ミラー８１との間に配置される。もちろん、第１指標投影光学系４５及び第２指標投影光学系４６の配置位置は、これに限定されない。例えば、第１指標投影光学系４５と第２指標投影光学系４６は、筐体２のカバーに備えられていてもよい。例えば、この場合には、第１指標投影光学系４５及び第２指標投影光学系４６が、呈示窓３の周囲に配置される構成が挙げられる。
【００９５】
例えば、第１指標投影光学系４５は、光軸Ｌ３を中心として同心円上に４５度間隔で赤外光源が複数個配置されており、光軸Ｌ３を通る垂直平面を挟んで左右対称に配置されている。例えば、第１指標投影光学系４５は、被検眼Ｅの角膜にアライメント指標を投影するための近赤外光を発する。例えば、第２指標投影光学系４６は、第１指標投影光学系４５とは異なる位置に配置された６つの赤外光源を備える。この場合、第１指標投影光学系４５は、被検眼Ｅの角膜に無限遠の指標を左右方向から投影し、第２指標投影光学系４６は被検眼Ｅの角膜に有限遠の指標を上下方向もしくは斜め方向から投影する構成となっている。なお、便宜上、図２には第１指標投影光学系４５と第２指標投影光学系４６の一部のみを図示している。なお、第２指標投影光学系４６は、被検眼Ｅの前眼部を照明する前眼部照明としても用いられる。また、第２指標投影光学系４６は、角膜形状測定用の指標としても利用できる。なお、第１指標投影光学系４５及び第２指標投影光学系４６は、点状光源に限定されない。例えば、リング状の光源やライン状の光源であってもよい。
【００９６】
＜観察光学系＞
例えば、観察光学系（撮像光学系）５０は、自覚式測定光学系２５及び他覚式測定光学系１０における対物レンズ１４とダイクロイックミラー２９を共用し、撮像レンズ５１及び二次元撮像素子５２を備える。例えば、撮像素子５２は、被検眼Ｅの前眼部と略共役な位置に配置された撮像面をもつ。例えば、撮像素子５２からの出力は、制御部７０に入力される。これによって、被検眼Ｅの前眼部画像は二次元撮像素子５２により撮像され、モニタ４上に表示される。なお、この観察光学系５０は、第１指標投影光学系４５及び第２指標投影光学系４６によって、被検眼Ｅの角膜に形成されるアライメント指標像を検出する光学系を兼ね、制御部７０によってアライメント指標像の位置が検出される。
【００９７】
＜自覚式検眼装置内部構成＞
以下、自覚式検眼装置１の内部構成について説明する。図３は、本実施例に係る自覚式検眼装置１の内部を正面方向（図１のＡ方向）から見た概略構成図である。図４は、本実施例に係る自覚式検眼装置１の内部を側面方向（図１のＢ方向）から見た概略構成図である。図５は、本実施例に係る自覚式検眼装置１の内部を上面方向（図１のＣ方向）から見た概略構成図である。なお、図４及び図５では、説明の便宜上、左眼用測定手段７Ｌの光軸のみを示している。また、図３及び図５では、説明の便宜上、近用検査時において水平方向に対して下方に傾斜した方向から被検眼に向けて視標光束を投光する第２光路への光路の切り換えを行うため光路切換手段１５０は省略している。なお、図４（ａ）は、遠用検査時における第１光路を示す図である。また、図４（ｂ）は、近用検査時における第２光路を示す図である。
【００９８】
例えば、自覚式検眼装置１は、自覚式測定手段と、他覚式測定手段と、を備える。例えば、自覚式測定手段及び他覚式測定手段において、測定手段７からの視標光束は、光学部材（例えば、後述する凹面ミラー８５）の光軸Ｌから外れた光路を通過して被検眼Ｅに導光される。すなわち、視標光束が凹面ミラー８５の光軸Ｌに対して斜め方向から照射され、その反射光束が被検眼Ｅに導光される。
【００９９】
例えば、自覚式測定手段は、測定手段７、偏向ミラー８１、駆動手段８２、駆動手段８３、反射ミラー８４、凹面ミラー８５で構成される。なお、自覚式測定手段はこの構成に限定されない。例えば、反射ミラー８４を有しない構成であってもよい。この場合には、測定手段７からの視標光束が、偏光ミラー８１を介した後に凹面ミラー８５の光軸Ｌに対して斜め方向から照射されてもよい。また、例えば、ハーフミラーを有する構成であってもよい。この場合には、測定手段７からの視標光束を、ハーフミラーを介して凹面ミラー８５の光軸Ｌに対して斜め方向に照射し、その反射光束を被検眼Ｅに導光してもよい。なお、本実施例では凹面ミラー８５を配置しているが、凹面ミラー８５ではなく凸レンズを配置した構成であってもよい。
【０１００】
例えば、他覚式測定手段は、測定手段７、偏向ミラー８１、反射ミラー８４、凹面ミラー８５で構成される。なお、他覚式測定手段はこの構成に限定されない。例えば、反射ミラー８４を有しない構成であってもよい。この場合には、測定手段７からの視標光束が、偏光ミラー８１を介した後に凹面ミラー８５の光軸Ｌに対して斜め方向から照射されてもよい。また、例えば、ハーフミラーを有する構成であってもよい。この場合には、測定手段７からの視標光束を、ハーフミラーを介して凹面ミラー８５の光軸Ｌに対して斜め方向に照射し、その反射光束を被検眼Ｅに導光してもよい。なお、本実施例では凹面ミラー８５を配置しているが、凹面ミラー８５ではなく凸レンズを配置した構成であってもよい。
【０１０１】
例えば、自覚式検眼装置１は、左眼用駆動手段９Ｌと右眼用駆動手段９Ｒとを有し、左眼用測定手段７Ｌ及び右眼用測定手段７ＲをそれぞれＸ方向に移動することができる。例えば、左眼用測定手段７Ｌ及び右眼用測定手段７Ｒが移動されることによって、偏向ミラー８１と測定手段７との間の距離が変更され、Ｚ方向における視標光束の呈示位置が変更される。これによって、矯正光学系６０によって矯正された視標光束を被検眼Ｅに導光し、矯正光学系６０によって矯正された視標光束の像が被検眼Ｅの眼底に形成されるように、測定手段７をＺ方向に調整することができる。
【０１０２】
例えば、偏向ミラー８１は、左右一対にそれぞれ設けられた、右眼用の偏向ミラー８１Ｒと左眼用の偏向ミラー８１Ｌとを有する。例えば、偏向ミラー８１は、矯正光学系６０と被検眼Ｅとの間に配置される。すなわち、本実施例における矯正光学系６０は、左右一対に設けられた左眼用矯正光学系と右眼用矯正光学系とを有しており、左眼用の偏向ミラー８１Ｌは左眼用矯正光学系と左眼ＥＲの間に配置され、右眼用の偏向ミラー８１Ｒは右眼用矯正光学系と右眼ＥＲの間に配置される。例えば、偏向ミラー８１は、瞳の共役位置に配置されることが好ましい。
【０１０３】
例えば、左眼用の偏向ミラー８１Ｌは、左眼用測定手段７Ｌから投影される光束を反射し、左被検眼ＥＬに導光する。また、例えば、左眼用の偏向ミラー８１Ｌは、左被検眼ＥＬで反射された反射光を反射し、左眼用測定手段７Ｌに導光する。例えば、右眼用の偏向ミラー８１Ｒは、右眼用測定手段７Ｒから投影される光束を反射し、右被検眼ＥＲに導光する。また、例えば、右眼用の偏向ミラー８１Ｒは、右被検眼ＥＲで反射された反射光を反射し、右眼用測定手段７Ｒに導光する。なお、本実施例においては、測定手段７から投影される光束を反射し、被検眼Ｅに導光する偏向部材として、偏向ミラー８１を用いる構成を例に挙げて説明しているがこれに限定されない。偏向部材は、測定手段７から投影される光束を反射し、被検眼Ｅに導光する偏向部材であればよい。例えば、偏向部材としては、プリズムやレンズ等が挙げられる。
【０１０４】
例えば、駆動手段８２は、モータ（駆動部）等からなる。例えば、駆動手段８２は、左眼用の偏向ミラー８１Ｌを駆動するための駆動手段８２Ｌと、右眼用の偏向ミラー８１Ｒを駆動するための駆動手段８２Ｒと、を有する。例えば、駆動手段８２の駆動によって、偏向ミラー８１は回転移動する。例えば、駆動手段８２は、水平方向（Ｘ方向）の回転軸、及び鉛直方向（Ｙ方向）の回転軸に対して偏向ミラー８１を回転させる。すなわち、駆動手段８２は偏向ミラー８１をＸＹ方向に回転させる。なお、偏向ミラー８１の回転は、水平方向又は鉛直方向の一方であってもよい。
【０１０５】
例えば、駆動手段８３は、モータ（駆動部）等からなる。例えば、駆動手段８３は、左眼用の偏向ミラー８１Ｌを駆動するための駆動手段８３Ｌと、右眼用の偏向ミラー８１Ｒを駆動するための駆動手段８３Ｒと、を有する。例えば、駆動手段８３の駆動によって、偏向ミラー８１はＸ方向に移動する。例えば、左眼用の偏向ミラー８１Ｌ及び右眼用の偏向ミラー８１Ｒが移動されることによって、左眼用の偏向ミラー８１Ｌ及び右眼用の偏向ミラー８１Ｒとの間の距離が変更され、被検眼Ｅの瞳孔間距離にあわせて、左眼用光路と右眼用光路との間のＸ方向における距離を変更することができる。
【０１０６】
なお、例えば、偏向ミラー８１は、左眼用光路と右眼用光路とのそれぞれにおいて複数設けられてもよい。例えば、左眼用光路と右眼用光路とのそれぞれにおいて、２つの偏向ミラーが設けられる（例えば、左眼用光路で２つの偏向ミラー等）構成が挙げられる。この場合、一方の偏向ミラーがＸ方向に回転され、他方の偏向ミラーがＹ方向に回転されてもよい。例えば、偏向ミラー８１が回転移動されることによって、矯正光学系６０の像を被検眼の眼前に形成するためのみかけの光束を偏向させることにより、像の形成位置を光学的に補正することができる。
【０１０７】
例えば、凹面ミラー８５は、右眼用測定手段７Ｒと左眼用測定手段７Ｌとで共有される。例えば、凹面ミラー８５は、右眼用矯正光学系を含む右眼用光路と、左眼用矯正光学系を含む左眼用光路と、で共有される。すなわち、凹面ミラー８５は、右眼用矯正光学系を含む右眼用光路と、左眼用矯正光学系を含む左眼用光路と、を共に通過する位置に配置されている。もちろん、凹面ミラー８５は、右眼用光路と左眼用光路とで共有される構成でなくてもよい。すなわち、右眼用矯正光学系を含む右眼用光路と、左眼用矯正光学系を含む左眼用光路と、でそれぞれ凹面ミラーが設けられる構成であってもよい。例えば、凹面ミラー８５は、矯正光学系を通過した視標光束を被検眼Ｅに導光し、矯正光学系を通過した視標光束の像を被検眼Ｅの眼前に形成する。なお、本実施例においては凹面ミラー８５を用いる構成を例に挙げて説明したが、これに限定されず、種々の光学部材を用いることができる。例えば、光学部材としては、レンズや平面ミラー等を用いることができる。  
【０１０８】
例えば、凹面ミラー８５は、自覚式測定手段と、他覚式測定手段と、で兼用される。例えば、自覚測定光学系２５から投影された視標光束は、凹面ミラー８５を介して、被検眼Ｅに投影される。例えば、他覚測定光学系１０から投影された測定光は、凹面ミラー８５を介して、被検眼Ｅに投影される。また、例えば、他覚測定光学系１０から投影された測定光の反射光は、凹面ミラー８５を介して、他覚測定光学系１０の受光光学系１０ｂに導光される。なお、本実施例においては、他覚測定光学系１０による測定光の反射光が、凹面ミラー８５を介して、他覚測定光学系１０の受光光学系１０ｂに導光される構成を例に挙げているがこれに限定されない。例えば、他覚測定光学系１０による測定光の反射光は、凹面ミラー８５を介さない構成であってもよい。
【０１０９】
より詳細には、例えば、本実施例においては、自覚式測定手段における凹面ミラー８５から被検眼Ｅまでの間の光軸と、他覚式測定手段における凹面ミラー８５から被検眼Ｅまでの間の光軸と、が少なくとも同軸で構成されている。例えば、本実施例においては、ダイクロイックミラー３５によって、自覚式測定光学系２５の光軸Ｌ２と他覚式測定光学系１０の光軸Ｌ１とが合成され、同軸となっている。
【０１１０】
＜自覚測定手段の光路＞
以下、自覚測定手段の光路について説明する。例えば、自覚測定手段は、矯正光学系６０を通過した視標光束を、凹面ミラー８５によって被検眼方向に反射することで被検眼Ｅに視標光束を導光し、矯正光学系６０を通過した視標光束の像を光学的に所定の検査距離となるように被検眼Ｅの眼前に形成する。例えば、このとき、矯正光学系６０を通過した視標光束は、凹面ミラー８５の光軸Ｌから外れた光路を通過して凹面ミラー８５へ入射し、凹面ミラー８５の光軸Ｌから外れた光路を通過するように反射され、被検眼Ｅに導光される。例えば、被検者から見た視標像は、被検眼Ｅからディスプレイ３１までの実際の距離よりも遠方にあるように見える。すなわち、凹面ミラー８５を用いることで被検眼Ｅに対する視標の呈示距離を延長し、所定の検査距離の位置に視標光束の像が見えるように、被検者に視標像を呈示することができる。
【０１１１】
より詳細に説明する。なお、以下の説明においては左眼用光路を例に挙げて説明するが、右眼用光路においても左眼用光路と同様の構成となっている。例えば、左眼用の自覚測定手段において、左眼用測定手段７Ｌのディスプレイ３１から投影された視標光束は、投光レンズ３３を介して、乱視矯正光学系６３に入射する。乱視矯正光学系６３を通過した視標光束は、反射ミラー３６、ダイクロイックミラー３５、ダイクロイックミラー２９、対物レンズ１４を経由して、補正光学系９０に入射する。補正光学系９０を通過した視標光束は、左眼用測定手段７Ｌから左眼用の偏向ミラー８１Ｌに向けて導光される。左眼用測定手段７Ｌから出射されて左眼用の偏向ミラー８１で反射された視標光束は、反射ミラー８４により凹面ミラー８５に向けて反射される。例えば、ディスプレイ３１から出射した視標光束は、このように光学部材を経由することで左被検眼ＥＬに到達する。
【０１１２】
これによって、左被検眼ＥＬの眼鏡装用位置（例えば、角膜頂点位置から１２ｍｍ程度）を基準として、矯正光学系６０により矯正された視標像が左被検眼ＥＬの眼底上に形成される。従って、乱視矯正光学系６３があたかも眼前に配置されたことと、球面度数の矯正光学系（本実施例においては、駆動機構３９の駆動）による球面度数の調整が眼前で行われたことと、が等価になっており、被検者は凹面ミラー８５を介して自然な状態で視標の像を視準することができる。なお、本実施例においては、右眼用光路においても、左眼用光路と同様の構成であり、両被検眼ＥＲ及びＥＬの眼鏡装用位置（例えば、角膜頂点位置から１２ｍｍ程度）を基準として、左右一対の矯正光学系６０により矯正された視標像が、両被検眼の眼底上に形成されるようになっている。このようにして、被検者は自然視の状態で視標を直視しつつ検者に対する応答を行い、検査視標が適正に見えるまで矯正光学系６０による矯正を図り、その矯正値に基づいて自覚的に被検眼の光学特性の測定を行う。
【０１１３】
＜他覚測定手段の光路＞
次いで、他覚測定手段の光路について説明する。なお、以下の説明においては左眼用光路を例に挙げて説明するが、右眼用光路においても左眼用光路と同様の構成となっている。例えば、左眼用の他覚測定手段において、他覚式測定光学系１０における投影光学系１０ａの光源１１から出射された測定光は、リレーレンズ１２から対物レンズ１４までを介して補正光学系９０に入射する。補正光学系９０を通過した測定光は、左眼用測定手段７Ｌから左眼用の偏向ミラー８１Ｌに向けて投影される。左眼用測定手段７Ｌから出射されて左眼用の偏向ミラー８１で反射された測定光は、反射ミラー８４によって凹面ミラー８５に向けて反射される。凹面ミラーによって反射された測定光は、反射ミラー８４を透過して左被検眼ＥＬに到達し、左被検眼ＥＬの眼底上にスポット状の点光源像を形成する。このとき、光軸周りに回転するプリズム１５によって、ホールミラー１３のホール部の瞳投影像（瞳上での投影光束）は高速に偏心回転される。
【０１１４】
左被検眼ＥＬの眼底上に形成された点光源像の光は、反射・散乱されて被検眼Ｅを射出し、測定光が通過した光路を経由して対物レンズ１４により集光され、ダイクロイックミラー２９、ダイクロイックミラー３５、プリズム１５、ホールミラー１３、リレーレンズ１６、ミラー１７までを介する。ミラー１７までを介した反射光は、受光絞り１８の開口上で再び集光され、コリメータレンズ１９にて略平行光束（正視眼の場合）とされ、リングレンズ２０によってリング状光束として取り出され、リング像として二次元撮像素子２２に受光される。受光したリング像を解析することによって、他覚的に被検眼Ｅの光学特性を測定することができる。
【０１１５】
＜光路切換＞
例えば、図４に示されるように、自覚式検眼装置１は、遠用検査時における第１光路と、近用検査時における第２光路と、を切り換えるための光路切換手段１５０を備える。例えば、光路切換手段１５０は、遠用検査時において被検眼に向けて視標光束を水平方向から投光するための第１光路と、近用検査時において水平方向に対して下方に傾斜した方向から被検眼に向けて前記視標光束を投光する第２光路と、を切換える。
【０１１６】
例えば、光路切換手段１５０は、反射ミラー１５１と、反射ミラー１５５、駆動機構１５６を備える。例えば、反射ミラー１５１は、遠用検査時の第１光路（図４（ａ）参照）から外れた位置に固定配置されている。例えば、駆動機構１５６は、モータ及びスライド機構からなる。例えば、反射ミラー１５５は、駆動機構１５６の駆動によって移動することができる。例えば、制御部７０は、駆動機構１５６を駆動することによって、反射ミラー１５５が光軸Ｌ４Ｌ中に挿脱される。例えば、制御部７０によって、反射ミラー１５５が光軸Ｌ４Ｌ中に挿脱されることによって、第１光路と第２光路とが切り換えられる。
【０１１７】
図４（ａ）に示されるように、例えば、制御部７０は、遠用検査時において被検眼に向けて視標光束を水平方向から投光するための第１光路にて測定を行う場合に、反射ミラー１５５は、光軸Ｌ４Ｌから外れた位置に待機させる。すなわち、例えば、制御部７０は、遠用検査時において被検眼に向けて視標光束を水平方向から投光するための第１光路にて測定を行う場合に、反射ミラー１５５を遠用検査時の第１光路から外れた位置に待機させる。この場合、例えば、矯正光学系６０を通過した視標光束は、凹面ミラー８５によって被検眼方向に反射され、水平方向から被検眼に導光される。なお、例えば、検査時の光路が第２光路に設定されていた場合、制御部７０は、駆動手段１５６を駆動することによって、反射ミラー１５５を光軸Ｌ４Ｌ中から移動させる。これによって、第２光路から第１光路への切り換えを行うことができる。
【０１１８】
図４（ｂ）に示されるように、例えば、制御部７０は、近用検査時において被検眼に向けて視標光束を水平方向から投光するための第２光路にて測定を行う場合に、反射ミラー１５５は、光軸Ｌ４Ｌ中に配置される。すなわち、例えば、制御部７０は、近用検査時において被検眼に向けて視標光束を水平方向から投光するための第２光路にて測定を行う場合に、反射ミラー１５５を遠用検査時の第１光路中に配置させる。この場合、例えば、矯正光学系６０を通過した視標光束は、凹面ミラー８５によって被検眼方向に反射され、反射ミラー１５５によって、反射される。例えば、反射ミラー１５５によって反射された視標光束は、反射ミラー１５１によって反射されて被検眼に向けて導光される。これによって、近用検査時において水平方向に対して下方に傾斜した方向から被検眼に向けて視標光束が投光される。なお、例えば、検査時の光路が第１光路に設定されていた場合、制御部７０は、駆動手段１５６を駆動することによって、反射ミラー１５５を光軸Ｌ４Ｌ中へ移動させる。これによって、第１光路から第２光路への切り換えを行うことができる。
【０１１９】
なお、本実施例の自覚式検眼装置においては、第１光路と第２光路とで切り換えを行った場合、被検眼に向けて視標光束が導光された際の視標光束の集光位置が前後方向（Ｚ方向）に変化する。このため、例えば、第１光路で被検眼と自覚式検眼装置とＺ方向の位置合わせが完了していた場合であっても、第２光路へ切り換えを行った場合には、再度、被検眼と自覚式検眼装置とＺ方向の位置合わせを行う必要がある。図４（ｂ）に示すように、例えば、被検眼Ｅｆの位置合わせが完了する位置が点線部から実線部の位置に変更される。なお、このような場合、例えば、被検眼と自覚式検眼装置との位置合わせ行うためのアライメント基準位置の位置を変更するようにしてもよい（詳細については後述する）。
【０１２０】
なお、例えば、自覚式検眼装置１は、反射ミラー１５１を回転させる回転駆動機構を備える構成が設けられている構成であってもよい。この場合、例えば、反射ミラー１５１が、水平方向（Ｘ方向）に伸びる回転軸を中心として回転駆動可能な構成であってもよい。例えば、反射ミラー１５１が水平方向（左右方向）に伸びる回転軸を中心として回転されることで、反射ミラー１５１が投光光学系３０の光軸方向に対して鉛直方向（Ｙ方向）に傾斜する。すなわち、例えば、反射ミラー１５１は、投光光学系３０の光軸に対して、鉛直方向（上下方向）における回転角度が変更可能な構成であってもよい。このような構成によって、例えば、反射ミラー１５１が、の傾斜角度に応じて、水平方向に対する下方に傾斜した方向の角度を変更することができる。例えば、検者は水平方向に対する下方に傾斜した方向の角度を任意の角度に変更できるようしてもよい。また、例えば、制御部７０は、視標の呈示距離に基づいて、水平方向に対する下方に傾斜した方向の角度を呈示距離に応じて予め設定された角度に変更するようにしてもよい。
【０１２１】
＜輻輳角度の変更＞
本実施例において、制御部７０は、右眼用光路と左眼用光路に配置された各光偏向部材（例えば、偏向ミラー８１Ｒ、８１Ｌ）を制御して、右眼用測定光軸Ｌ４Ｒと左眼用測定光軸Ｌ４Ｌの偏向角度を水平方向に関して変更してもよい。例えば、制御部７０は、凹面ミラー８５に対する測定光軸Ｌ４Ｒ、Ｌ４Ｌの入射角度を変更し、右眼用光路及び左眼用光路から出射される視標光束の輻輳角度を変更してもよい。これによって、視標の呈示距離に応じた輻輳角度に変更できる。
【０１２２】
この場合、測定光軸Ｌ４Ｒ、Ｌ４Ｌの角度が水平方向（Ｘ方向）に関して変更されることによって、測定光軸Ｌ４Ｒ、Ｌ４Ｌの交差点Ｔの位置が変更される（図６、図７参照）。右眼用測定手段７Ｒからの視標光束は、測定光軸Ｌ４Ｒを主光線として右眼ＥＲに投影されるので、右眼ＥＲの視線方向は、測定光軸Ｌ４Ｒと同軸となる。同様に、左眼用測定手段７Ｌからの視標光束は、測定光軸Ｌ４Ｌを主光線として左眼ＥＬに投影されるので、左眼ＥＬの視線方向は、測定光軸Ｌ４Ｌと同軸となる。この結果、視標光束の輻輳角度が変更され、左右眼の輻輳角度が変更される。
【０１２３】
より詳細には、例えば、制御部７０は、駆動手段８２を制御し、偏向ミラー８１Ｒ、８１Ｌの反射角度を調整することによって測定光軸Ｌ４Ｒ、Ｌ４Ｌの偏向角度を移動させてもよい。もちろん、偏向ミラー８１Ｒ、８１Ｌに限定されず、他の光偏向部材が用いられてもよい。
【０１２４】
例えば、図６は、遠用検査時において、遠用検査の呈示距離（遠用距離）から視標を呈示する場合の一例を示す図である。例えば、制御部７０は、測定光軸Ｌ４Ｒ、Ｌ４Ｌが凹面ミラー８５の焦点位置を通るように測定光軸Ｌ４Ｒ、Ｌ４Ｌを偏向させることによって、遠用距離に対応する輻輳角度が設定されてもよい。なお、厳密な焦点位置に光軸を通す必要は必ずしもなく、遠用距離に対応する輻輳角度であればよい。
【０１２５】
例えば、凹面ミラー８５によって反射された後の測定光軸Ｌ４Ｒ、Ｌ４Ｌは、互いに平行な関係となり、Ｚ方向と同一方向となる。交差点Ｔは、無限遠あるいは遠用位置（例えば、見かけ上、被検眼から５ｍ離れた位置）に形成される。この場合、制御部７０は、視標の呈示位置を調整し、被検眼の遠用位置に視標を結像させてもよい。この結果、見かけ上、被検眼に対して遠方から視標が呈示されると共に、左右の視標光束が遠用距離に対応する輻輳角度にセットされる。
【０１２６】
例えば、図７は、近用検査時において、近用検査の呈示距離（近用距離）から視標を呈示する場合の一例を示す図である。例えば、制御部７０は、測定光軸Ｌ４Ｒ、Ｌ４Ｌと、測定手段７Ｒ、７Ｌの測定光軸との成す角が遠用距離より更に小さくなるように、測定光軸Ｌ４Ｒ、Ｌ４Ｌを偏向させることによって、輻輳角度を近方へシフトさせることができる。
【０１２７】
例えば、制御部７０は、凹面ミラー８５によって反射される直前の測定光軸Ｌ４Ｒ、Ｌ４Ｌが互いに平行な関係となるように、測定光軸Ｌ４Ｒ、Ｌ４Ｌを偏向させてもよい。凹面ミラー８５によって反射された後の測定光軸Ｌ４Ｒ、Ｌ４Ｌは、凹面ミラー８５の焦点位置を通り、左右眼に達する。これによって、見かけ上、凹面ミラー８５の焦点位置に交差点Ｔが形成される。この場合、制御部７０は、視標の呈示位置を調整し、交差点Ｔに対応する近用位置に視標を結像させてもよい。この結果、見かけ上、被検眼に対して近用位置から視標が呈示されると共に、左右の視標光束が、設定された近用距離に対応する輻輳角度にセットされる。
【０１２８】
もちろん、視標の呈示距離としては、上記に限定されない。つまり、制御部７０は、測定光軸Ｌ４Ｒ、Ｌ４Ｌを偏向し、被検眼に対する交差点Ｔの位置を変更することによって視標光束の輻輳角度を任意に変更してもよい。この場合、光偏向部材の偏向角度（駆動角度）と、視標呈示距離との対応関係が予め設定され、メモリ７２に記憶されてもよい。具体的には、偏向ミラー８１Ｒ、８１Ｌの反射角度と、視標呈示距離とが予め対応付けされてもよい。この場合、対応テーブル、演算式などがメモリ７２に記憶されてもよい。
【０１２９】
例えば、制御部７０は、操作部４からの操作信号に基づいて視標の呈示距離が入力され、呈示距離に対応する偏向角度をメモリ７２から取得してもよい。さらに、制御部７０は、取得された偏向角度に対応する角度に光偏向部材を駆動させてもよい。
【０１３０】
なお、上記の説明においては、投光光学系３０を制御して視標の呈示距離を変更する場合、制御部７０は、矯正光学系６０の球面度数を変更することによって視標の呈示距離を変更してもよい。例えば、視標が所定の近用距離（例えば、３３ｃｍ）に呈示される場合、遠用の矯正度数（遠用の他覚屈折力測定又は遠用の視力測定で決定された遠用矯正度数）の位置を基準として、近用距離に対応する度数（例えば、３．０Ｄ）だけ近方に近づけた位置にディスプレイ３１を配置してもよい。
【０１３１】
なお、上記説明においては、視標の呈示距離の変更と連動して、輻輳角度が変更される場合を例に挙げて説明しているがこれに限定されない。例えば、第１光路と第２光路との切り換えに基づいて、輻輳角度が変更されるようにしてもよい。また、例えば、第１光路と第２光路との切り換え、視標の呈示距離の変更、及び輻輳角度の変更が連動して行われるようにしてもよい。
【０１３２】
＜制御部＞  
例えば、制御部７０には、モニタ４、不揮発性メモリ７５（以下、メモリ７５）、測定手段７が備える測定光源１１、撮像素子２２、ディスプレイ３１、二次元撮像素子５２等の各種部材が電気的に接続されている。また、例えば、制御部７０には、駆動手段９、駆動機構３９、回転機構６２ａと６２ｂ、駆動手段８３、回転機構９２ａと９２ｂ、駆動機構１５６がそれぞれ備える図示なき駆動部が電気的に接続されている。
【０１３３】
例えば、制御部７０は、ＣＰＵ（プロセッサ）、ＲＡＭ、ＲＯＭ等を備える。例えば、ＣＰＵは、自覚式検眼装置１における各部材の制御を司る。例えば、ＲＡＭは、各種の情報を一時的に記憶する。例えば、ＲＯＭには、自覚式検眼装置１の動作を制御するための各種プログラム、各種検査のための視標データ、初期値等が記憶されている。なお、制御部７０は、複数の制御部（つまり、複数のプロセッサ）によって構成されてもよい。
【０１３４】
例えば、メモリ７５は、電源の供給が遮断されても記憶内容を保持できる非一過性の記憶媒体である。例えば、メモリ７５としては、ハードディスクドライブ、フラッシュＲＯＭ、及び自覚式検眼装置１に着脱可能に装着されるＵＳＢメモリ等を使用することができる。例えば、メモリ７５には、自覚式測定手段及び他覚式測定手段を制御するための制御プログラムが記憶されている。
【０１３５】
＜制御動作＞
以上の構成を備える自覚式検眼装置１において、その動作を説明する。例えば、本実施例においては、自覚測定を実施する前に、上述の構成を備える他覚測定光学系を用いて、被検眼Ｅに対して他覚測定が行われる。この場合、例えば、制御部７０は、被検眼Ｅがもつ球面屈折度Ｓ、円柱屈折度Ｃ、乱視軸角度Ａ、等の他覚的に測定された屈折力を取得する。すなわち、制御部７０は、被検眼Ｅの他覚眼屈折力（他覚値）を取得する。また、例えば、制御部７０はメモリ７５に他覚値を記憶する。例えば、後述する自覚測定においては、自覚測定を実施する際に、取得された眼屈折力に基づいて矯正光学系６０が制御され、被検眼Ｅを矯正した状態を初期状態として測定を開始する。
【０１３６】
＜アライメント調整＞
例えば、検者は被検者に、顎を顎台５にのせて呈示窓３を観察し、視標を固視するよう指示する。例えば、前眼部撮像光学系１００によって被検眼Ｅの前眼部が検出されると、制御部７０は、被検眼Ｅと測定手段７との位置合わせを開始する。すなわち、制御部７０は自動アライメントを開始する。
【０１３７】
例えば、制御部７０は、撮像光学系１００によって撮像された顔画像から左右の被検眼の瞳孔位置を検出する。例えば、瞳孔位置が検出されると、制御部７０は、前眼部像がモニタ４に表示されるように自覚式検眼装置１を制御する。例えば、制御部７０は、右眼用の偏向ミラー８１Ｒ，左眼用の偏向ミラー８１Ｌ、それぞれ駆動させ、ＸＹ方向に回転させる。また、例えば、瞳孔位置が検出されると、制御部７０は、右眼用測定手段７Ｒ及び左眼用測定手段７ＬをそれぞれＸ方向に移動できる。すなわち、制御部７０は、偏向ミラー８１を駆動させることよってＸＹ方向のアライメントを行い、測定手段７を駆動させることによってＺ方向のアライメントを行う。なお、Ｚ方向のアライメントにおいても、制御部７０は、右眼用の偏向ミラー８１右眼用の偏向ミラー８１Ｒ，左眼用の偏向ミラー８１Ｌ、それぞれ駆動させ、ＸＹ方向に回転させるようにしてもよい。
【０１３８】
なお、本実施例においては、偏向ミラー８１と、測定手段７と、の駆動によってＸＹＺ方向のアライメントを調整する構成を例に挙げて説明しているがこれに限定されない。被検眼と、自覚式測定手段及び他覚式測定手段と、の位置関係を調整できる構成であればよい。すなわち、矯正光学系６０によって矯正された像が被検眼の眼底上に形成されるようにＸＹＺ方向を調整できる構成であればよい。例えば、顎台６に対して、自覚式検眼装置１をＸＹＺ方向に移動可能な構成を設けて、自覚式検眼装置１を移動させる構成であってもよい。また、例えば、偏向ミラー８１と測定ユニットを一体的にＸＹＺ方向に移動可能な構成として、ＸＹＺ方向の調整を行える構成としてもよい。また、例えば、偏向ミラー８１のみによってＸＹＺ方向の調整を行える構成としてもよい。この場合、例えば、偏向ミラー８１は、回転駆動するとともに、測定ユニットとの間の距離が変更するように、偏向ミラー８１がＺ方向移動する構成が挙げられる。なお、例えば、アライメント制御においては、両被検眼がモニタ４上に表示され、同一画面上で、両被検眼のアライメント制御が行われてもよい。また、例えば、アライメント制御においては、モニタ４上に一方の被検眼が表示され、一方の被検眼のアライメント制御が完了した後、他方の被検眼がモニタ４上に表示され、他方の被検眼のアライメント制御が行われるようにしてもよい。また、例えば、一方の被検眼のアライメント制御結果に基づいて、他方の被検眼のアライメント制御が行われる構成としてもよい。
【０１３９】
図８は、撮像素子５２によって撮像された前眼部画像が表示された前眼部観察画面を示す図である。なお、本実施形態においては、両被検眼の内の一方の被検眼に対するアライメント制御について説明する。なお、他方の被検眼についても以下の説明における制御が祖同様に行われる。なお、例えば、アライメント制御においては、両被検眼がモニタ４上に表示され、同一画面上で、両被検眼のアライメント制御が行われてもよい。また、例えば、アライメント制御においては、モニタ４上に一方の被検眼が表示され、一方の被検眼のアライメント制御が完了した後、他方の被検眼がモニタ４上に表示され、他方の被検眼のアライメント制御が行われるようにしてもよい。また、例えば、一方の被検眼のアライメント制御結果に基づいて、他方の被検眼のアライメント制御が行われる構成としてもよい。
【０１４０】
例えば、制御部７０は、被検眼に対する矯正光学系６０の像の位置ずれを検出する。例えば、制御部７０は、検出された検出結果に基づいて、駆動手段を制御し、矯正光学系６０の像を被検眼に導光するためのみかけの光束を偏向させることにより像の形成位置を光学的に補正する。このように、本実施形態における自覚式検眼装置１は、被検眼と矯正光学系との位置ずれを検出し、像の形成位置を光学的に補正する構成を備える。これによって、被検眼と矯正光学系との位置ずれを補正することによって、適正な位置で装置の使用が可能となり、精度よく測定を行うことができる。
【０１４１】
より詳細には、例えば、アライメントの際には、第１指標投影光学系４５及び第２指標投影光学系４６の光源が点灯される。例えば、制御部７０は、リング状に投影された指標像Ｍａ〜ＭｈのＸＹ中心座標（図８の十字マーク参照）を略角膜頂点位置Ｍｏとして検出する。例えば、アライメント状態の判定を行うために設定されたＸＹ方向のアライメント基準位置Ｏ１が設定されている。例えば、アライメント基準位置Ｏ１は、本実施形態においては、角膜頂点位置と自覚式検眼装置１の光軸（凹面ミラー８５で反射された光束が通過する光路の光軸）Ｌ４（Ｌ４Ｒ，Ｌ４Ｌ）が一致する位置として設定されている。例えば、アライメント基準位置Ｏ１は、自覚式検眼装置１に用いるアライメント基準位置である。また、例えば、アライメント基準位置Ｏ１を中心として所定の領域において、アライメントの適否を判定するためのアライメント許容範囲Ａ１が設定されている。上記のように、被検眼とアライメント基準位置Ｏ１との位置ずれに基づいて、被検眼と視標光束とのアライメント状態を検出する。
【０１４２】
図９は、アライメント制御について説明する図である。例えば、制御部７０は、アライメント基準位置Ｏ１と角膜頂点位置Ｍｏとの偏位量Δｄを求める。制御部７０は、偏向ミラー８１を駆動させ、偏位量Δｄが許容範囲Ａ１に入るようにＸＹ方向のアライメントを調整する。
【０１４３】
また、制御部７０は、無限遠の指標像Ｍａ，Ｍｅの像間隔ａと有限遠の指標像Ｍｈ，Ｍｆの像間隔ｂとの像比率（ａ／ｂ）を比較することによりＺ方向のアライメント偏位量Δｄを求める。この場合、制御部７０は、被検眼と自覚式検眼装置１との間における作動距離（Ｚ方向の距離）がずれた場合に、前述の無限遠指標Ｍａ，Ｍｅの間隔がほとんど変化しないのに対して、指標像Ｍｈ，Ｍｆの像間隔が変化するという特性を利用して、被検者眼に対する作動距離方向のアライメント偏位量を求める（詳しくは、特開平６−４６９９９号参照）。
【０１４４】
また、制御部７０は、Ｚ方向についても、ＸＹ方向と同様に、Ｚ方向のアライメント基準位置に対する偏位量Δｄを求め、その偏位量ΔｄがＺ方向のアライメント許容範囲Ａ１に入るように、測定手段７の駆動制御によって、Ｚ方向のアライメントを作動する。
【０１４５】
ここで、ＸＹＺ方向におけるアライメント偏位量Δｄが許容範囲Ａ１に入ったら、偏向ミラー８１及び測定手段７の駆動を停止させると共に、アライメント完了信号を出力する。なお、アライメント完了後においても、制御部７０は、偏位量Δｄを随時検出しており、偏位量Δｄが許容範囲Ａ１を超えた場合、自動アライメントを再開する。すなわち、制御部７０は、偏位量Δｄが許容範囲Ａ１を満たすように被検眼Ｅｆに対して測定手段７を追尾させる制御（トラッキング）を行う。
【０１４６】
なお、本実施形態においては、制御部７０が自動的にアライメント制御を行う構成を例に挙げて説明したがこれに限定されない。例えば、モニタ４上にアライメント基準位置を電子的に示すマークを表示させ、検者がモニタ４を操作し、アライメント基準位置と、被検眼と、の位置関係を調整する構成であってもよい。この場合、例えば、制御部７０は、ＸＹＺ方向におけるアライメントが完了した場合に、モニタ４上にその旨を表示するようにしてもよい。
【０１４７】
また、例えば、アライメント状態が適正となる（アライメントが完了する）まで、被検者を誘導するようにしてもよい。この場合、制御部７０は、アライメント許容範囲内に角膜頂点位置が入った場合に、ＸＹＺ方向におけるアライメントが完了した場合に、モニタ４上にその旨を表示するようにしてもよい。
【０１４８】
＜他覚式測定＞
制御部７０は、アライメント完了信号の出力に基づいて、他覚式測定（他覚測定）（Ｓ２）を開始するための他覚測定開始トリガ信号（以下、トリガ信号と記載）が発する。他覚測定を開始するためのトリガ信号が発せられると、制御部７０は、他覚式測定光学系１０から測定光束を出射する。この場合、各測定光束は、偏向ミラー８１Ｒ、８１Ｌを介して凹面ミラー８５によって反射された後、被検眼の眼底に投影される。眼底から反射された測定光は、凹面ミラー８５を介して、偏向ミラー８１Ｒ（８１Ｌ）によって反射された後、撮像素子２２によって測定画像が撮像される。
【０１４９】
例えば、他覚眼屈折力の測定においては、はじめに眼屈折力の予備測定が行われ、予備測定の結果に基づいてディスプレイ３１が光軸Ｌ２方向に移動されることにより、被検眼Ｅに対して雲霧がかけられてもよい。すなわち、ディスプレイ３１が被検眼Ｅに対して、一度ピントが合う位置に移動されてもよい。その後、雲霧がかけられた被検眼に対して眼屈折力の本測定が行われてもよい。本測定では、測定画像は撮像素子２２に撮像され、撮像素子２２からの出力信号は、メモリ７２に画像データ（測定画像）として記憶される。その後、制御部７０は、メモリ７２に記憶されたリング像を画像解析して各経線方向の屈折力の値を求める。制御部７０は、この屈折力に所定の処理を施すことによって遠用時での被検者眼のＳ（球面度数）、Ｃ（乱視度数）、Ａ（乱視軸角度）の他覚眼屈折力（他覚値）を得る。得られた遠用時での他覚値はメモリ７２に記憶される。また、例えば、他覚眼屈折力の測定時におけるアライメント状態が適正となっている際の偏向ミラー８及び測定ユニット７の位置から瞳孔間距離を算出するようにしてもよい。
【０１５０】
上記他覚眼屈折力の測定において、制御部７０は、補正光学系９０を制御し、他覚式測定光学系１０の光路にて生じる光学収差を補正してもよい。この場合、他覚式測定光学系１０によって測定された屈折度数に応じた補正量をメモリ７２から取得し、取得された収差補正量に基づいて補正光学系９０を制御する。
【０１５１】
より具体的には、予備測定で得られた眼屈折力に応じて補正量が設定され、設定された補正量に基づいて補正光学系９０が駆動される。これによって、本測定は、他覚式測定光学系１０の光路にて生じる収差が補正された状態において本測定が行われるので、他覚眼屈折力を精度よく測定できる。なお、眼屈折力を連続的に測定する場合（例えば、本測定を複数行う）、各測定結果に基づいて補正光学系９０が制御されてもよい。
【０１５２】
なお、上記説明においては、遠用での他覚眼屈折力が測定されたが、これに限定されず、近用距離にて視標が呈示された状態での眼屈折力である近用での他覚眼屈折力が測定されてもよい。なお、他覚眼屈折力測定は、左右眼同時に実行されてもよいし、左右眼別々のタイミングにて実施されてもよい。
【０１５３】
＜自覚式測定（遠用検査モード）＞
次いで、自覚式測定が行われる。他覚屈折力測定が完了し、検者がモニタ（本実施例においては、操作部を兼ねる）４を操作し、自覚の遠用検査モード（自覚屈折力測定）モードを選択すると、制御部７０は、自覚の遠用検査モードに切り換える。例えば、自覚式測定において、初めに、球面度数Ｓ、乱視度数Ｃ、乱視軸角度Ａを求めてもよい。なお、本実施例では、初期設定では、反射ミラー１５５は、光軸Ｌ４（第１光路）から外れた位置に配置されている。すなわち、初期設定では、検査用の光路は、第１光路に設定されている。もちろん、初期設定として、検査用の光路が第２光路に設定されていてもよい。
【０１５４】
なお、本実施例において、自覚検査中時においても、自動アライメントが実施されている。例えば、遠用検査モード設定時においては、遠用検査モード用のアライメント基準位置が設定され、遠用検査モード用のアライメント基準位置に基づいて、自動アライメントが実施される。また、例えば、近用検査モード設定時においては、近用検査モード用のアライメント基準位置が設定され、近用検査モード用のアライメント基準位置に基づいて、自動アライメントが実施される。なお、初期設定時においては、遠用検査モード用のアライメント基準位置が設定されている。もちろん、初期設定としては、近用検査モード用のアライメント基準位置が設定されていてもよい。
【０１５５】
また、例えば、制御部７０は、他覚測定時に測定された被検者の瞳孔間距離に基づいて、左眼用光路と右眼用光路との間のＸ方向における距離を変更する。例えば、制御部７０は、瞳孔間距離に基づいて、右眼用の偏向ミラー８１Ｒ，左眼用の偏向ミラー８１Ｌ、それぞれ駆動させ、Ｘ方向に回転させる。
【０１５６】
遠用検査モードに切り換えると、例えば、制御部７０は、矯正光学系６０の球面度数を変更することによって視標の呈示距離を遠用の呈示距離に変更する。例えば、制御部７０は、ディスプレイ３１を光軸Ｌ２に沿って移動させることによって、視標の呈示距離を遠用の呈示距離に設定する。また、例えば、制御部７０は、偏向ミラー８１Ｒ、８１Ｌを制御して、右眼用測定光軸Ｌ４Ｒと左眼用測定光軸Ｌ４Ｌの偏向角度を水平方向に関して変更し、右眼用光路及び左眼用光路から出射される視標光束の輻輳角度を遠用検査用（遠用測定用）の輻輳角度に変更する。なお、本実施例において、光路は、初期設定時においては、第１光路に設定されているため、初期設定時における光路が用いられる。
【０１５７】
以上のように、遠用検査用の設定が完了すると、制御部７０は、ディスプレイ３１を制御し、光軸Ｌ２上に所要の視力値視標を表示してもよい（例えば、視力値０．８の視標）。被検眼に初期呈示視標が呈示されたら、検者は、被検者の遠用測定を行う。モニタ４の所定のスイッチが押されると、呈示される視力値視標が切換えられる。
【０１５８】
例えば、自覚式測定の初期設定が完了すると、自覚式測定が開始できる。例えば、自覚式測定において、検者は、被検者の回答が正答の場合には、１段階高い視力値の視標に切換える。一方、被検者の回答が誤答の場合には１段階低い視力値の視標に切換える。つまり、制御部７０は、モニタ４からの視力値変更の信号に基づいて視標を切換えてもよい。
【０１５９】
また、検者は、モニタ４を用いて、矯正光学系６０の矯正度数を変更し、被検眼の遠用自覚値（球面度数Ｓ、乱視度数Ｃ、乱視軸角度Ａ）を求めてもよい。
【０１６０】
なお、矯正光学系６０の矯正度数は、左右眼別々の度数に設定されてもよいし、左右眼での同一の度数に設定されてもよい。なお、自覚眼屈折力測定は、左右眼同時に実行されてもよいし、左右眼別々のタイミングにて実施されてもよい。なお、別々のタイミングの場合、非測定眼のディスプレイ３１に視標を表示しないようにしてもよいし、矯正光学系６０によってフォグ（例えば、他覚値に対して一定の屈折度数が付加される）が行われてもよい。
【０１６１】
例えば、被検眼の遠用自覚値（球面度数Ｓ、乱視度数Ｃ、乱視軸角度Ａ）の検査が終わると、検者はコントローラ３のスイッチを用いてその測定結果（検査結果）をメモリ７２に記憶させる。
【０１６２】
＜自覚式測定（近用検査モード）＞
検者がモニタ４を操作し、自覚の近用検査モード（自覚屈折力測定）モードを選択すると、制御部７０は、自覚の近用検査モードに切り換える。
【０１６３】
また、例えば、制御部７０は、他覚測定時に測定された被検者の瞳孔間距離に基づいて、左眼用光路と右眼用光路との間のＸ方向における距離を変更し、近用の瞳孔間距離に設定するようにしてもよい。もちろん、遠用と同一の瞳孔間距離にて近用検査が行われるようにしてもよい。
【０１６４】
近用検査モードに切り換えると、例えば、制御部７０は、矯正光学系６０の球面度数を変更することによって視標の呈示距離を近用の呈示距離に変更する。例えば、制御部７０は、ディスプレイ３１を光軸Ｌ２に沿って移動させることによって、視標の呈示距離を近用の呈示距離に設定する。また、例えば、制御部７０は、偏向ミラー８１Ｒ、８１Ｌを制御して、右眼用測定光軸Ｌ４Ｒと左眼用測定光軸Ｌ４Ｌの偏向角度を水平方向に関して変更し、右眼用光路及び左眼用光路から出射される視標光束の輻輳角度を近用検査用（近用測定用）の輻輳角度に変更する。また、例えば、制御部７０は、駆動機構１５６を駆動し、反射ミラー１５５を移動させ、光軸Ｌ４中に挿入する。例えば、反射ミラー１５５が光軸Ｌ４中に配置されることによって、検査用の光路が第１光路から第２光路へ変更される。
【０１６５】
また、例えば、制御部７０は、アライメント基準位置を近用検査モード用のアライメント基準位置に変更する。例えば、本実施例において、アライメント基準位置をＺ方向に移動させた位置に変更する。例えば、制御部７０は、変更されたアライメント基準位置に基づいて、アライメント制御を行う。これによって、近用検査用の位置合わせが完了する。より詳細には、例えば、アライメント基準位置の変更として、Ｚ方向のアライメント状態が適正とされる無限遠の指標像Ｍａ，Ｍｅの像間隔ａと有限遠の指標像Ｍｈ，Ｍｆの像間隔ｂとの像比率（ａ／ｂ）を変更するようにしてもよい。例えば、変更されたアライメント基準となる像比率に対して、無限遠の指標像Ｍａ，Ｍｅの像間隔ａと有限遠の指標像Ｍｈ，Ｍｆの像間隔ｂとの像比率（ａ／ｂ）を比較することによりＺ方向のアライメント偏位量Δｄを求める。そして、制御部７０は、アライメント偏位量Δｄが許容範囲になるように、Ｚ方向のアライメント制御を行う。
【０１６６】
以上のように、近用検査用の設定が完了すると、制御部７０は、ディスプレイ３１を制御し、光軸Ｌ２上に所要の視力値視標を表示してもよい。被検眼に初期呈示視標が呈示されたら、検者は、被検者の近用測定を行う。モニタ４の所定のスイッチが押されると、呈示される視力値視標が切換えられる。
【０１６７】
例えば、自覚式測定の初期設定が完了すると、自覚式測定が開始できる。例えば、自覚式測定において、検者は、被検者の回答が正答の場合には、１段階高い視力値の視標に切換える。一方、被検者の回答が誤答の場合には１段階低い視力値の視標に切換える。つまり、制御部７０は、モニタ４からの視力値変更の信号に基づいて視標を切換えてもよい。
【０１６８】
また、検者は、モニタ４を用いて、矯正光学系６０の矯正度数を変更し、被検眼の近用自覚値（球面度数Ｓ、乱視度数Ｃ、乱視軸角度Ａ）を求めてもよい。
【０１６９】
例えば、被検眼の近用自覚値（球面度数Ｓ、乱視度数Ｃ、乱視軸角度Ａ）の検査が終わると、検者はコントローラ３のスイッチを用いてその測定結果（検査結果）をメモリ７２に記憶させる。
【０１７０】
以上のように、例えば、自覚式検眼装置は、視標光束を被検眼に向けて投光して視標を被検眼に投光する投光光学系と、左右一対に設けられた右眼用矯正光学系と左眼用矯正光学系を有し、投光光学系の光路中に配置され、視標光束の光学特性を変化する矯正光学系と、矯正光学系によって矯正された視標光束を被検眼に導光する光学部材と、を有し、被検眼の光学特性を自覚的に測定するようにしてもよい。また、例えば、自覚式検眼装置は、視標の呈示距離を光学的に変更する距離変更手段と、遠用検査時において被検眼に向けて視標光束を水平方向から投光するための第１光路と、近用検査時において水平方向に対して下方に傾斜した方向から被検眼に向けて視標光束を投光する第２光路と、を切換える光路切換手段と、右眼用矯正光学系を含む右眼用光路及び左眼用矯正光学系を含む左眼用光路とから出射される視標光束の輻輳角度を変更する輻輳角度変更手段と、を備えるようにしてもよい。このような構成によって、例えば、遠用検査時に被検者に水平視させるとともに遠用検査時に応じた輻輳角度への変更を行うことができ、近用検査時に被検者に下方視させるとともに近用検査時に応じた輻輳角度への変更を行うことができるため、より自然視に近い状態での自覚式測定を行うことができ、より精度の良い測定結果を得ることができる。
【０１７１】
また、例えば、輻輳角度変更手段は、距離変更手段による呈示距離の変更と、光路切換手段による第１光路と第２光路との光路の切換と、の少なくともいずれかに基づいて、輻輳角度を変更するようにしてもよい。これによって、例えば、検査条件を変更した際に、各種部材の設定をそれぞれ行うことが必要なくなり、測定のための設定を容易に行うことができる。これによって、スムーズに測定を開始することができる。
【０１７２】
また、例えば、光路切換手段は、第１光路と第２光路を切換えるために、矯正光学系と被検者との間に光学部材を挿脱するようにしてもよい。これによって、例えば、光学部材を挿脱することによって、光路を切り換えることによって、容易に光路を切り換えることができる。また、例えば、光学部材を挿脱することによって、光路を切り換えることによって、水平方向からより大きな角度での下方視をさせることができる。
【０１７３】
また、例えば、自覚式検眼装置は、被検眼とアライメント基準位置との位置ずれに基づいて、被検眼と視標光束とのアライメント状態を検出するアライメント検出手段を備えていてもよい。また、例えば、アライメント検出手段は、距離変更手段による呈示距離の変更と、光路切換手段による第１光路と第２光路との光路の切換と、輻輳角度変更手段による輻輳角度の変更と、の少なくともいずれかに基づいて、アライメント基準位置を変更するようにしてもよい。例えば、距離変更手段による呈示距離の変更と、光路切換手段による第１光路と第２光路との光路の切換と、輻輳角度変更手段による輻輳角度の変更と、の少なくともいずれかを変更した場合には、瞳共役位置が変更されることになるため、アライメント基準位置に基づくアライメントを行った場合であっても、視標光束を被検眼に良好に投影できなくなる。このため、各種設定の変更が行われた場合であっても、アライメント基準位置を変更することで、アライメントを行った場合に、視標光束を被検眼に良好に投影できるようになる。これによって、各種設定の変更を行った場合であっても、精度よく測定を行うことができる。
【０１７４】
なお、本実施例においては、自覚式検査において、第１光路と第２光路との光路を切り換えて検査を行う場合を例に挙げて説明したがこれに限定されない。例えば、他覚式検査においても、第１光路と第２光路とで光路を切り換えて検査を行うようにしてもよい。例えば、第１光路と第２光路を切り換えた場合であっても、それぞれの光路において、他覚的に光学特性を測定することができる。このため、より自然視に近い状態での他覚的測定を行うことができ、より精度の良い他覚測定結果を得ることができる。また、それぞれの光路において、調節情報を取得するようにしてもよい。
【符号の説明】
【０１７５】
１  自覚式検眼装置
２  筐体
３  呈示窓
４  モニタ
５  顎台
６  基台
７  測定手段
１０  他覚式測定光学系
２５  自覚式測定光学系
３０  投光光学系
４５  第１指標投影光学系
４６  第２指標投影光学系
５０  観察光学系
６０  矯正光学系
７０  制御部
７２  メモリ
８１  偏向ミラー
８４  ハーフミラー
８５  凹面ミラー
９０  補正光学系
１００  撮像光学系
１５０  光路切換手段
【図１】
2018171140.tif 000003
【図２】
2018171140.tif 000004
【図３】
2018171140.tif 000005
【図４】
2018171140.tif 000006
【図５】
2018171140.tif 000007
【図６】
2018171140.tif 000008
【図７】
2018171140.tif 000009
【図８】
2018171140.tif 000010
【図９】
2018171140.tif 000011